(57)【要約】【課題】磁性接触現像による高画質化、小型化、Ｄブレード（現像剤量規制ブレード）と磁極の関係によりゴースト（特にエッジ部）を改善、クリーナーレスへの展開等を図る。【解決手段】磁性球形トナーを用いた磁性接触現像において、Ｄブレード６０ｃのＮＥ長さ（自由長）を十分長くし、トナーの安定した供給と帯電によるエッジ部ゴースト、ベタ追従性とカブリを両立する。弾性スリーブ６０ｂ中にマグネット６０ａを備え、球形トナーを磁力により供給する磁性接触現像装置において、Ｄブレード６０ｃの自由長Ｌと現像スリーブ半径Ｒ、最近接極のＢｒ把調整幅θｈとの関係を０．３≦Ｌ／（Ｒ×ｔａｎθｈ）≦１．２とし、取込部（ＮＥ）における最大磁束密度｜Ｂｒ｜／｜Ｂ｜≧０．５とする。【選択図】図１
2006301109.tif 000002
【特許請求の範囲】
【請求項１】
少なくとも表面に弾性層と内部に固定された磁界発生手段を具備し、円形度が０．９６５以上の一成分磁性現像剤を磁力により保持する現像剤担持体と、該現像剤担持体回転方向に対してカウンター方向に当接され該現像剤担持体上の現像剤を規制する現像剤量規制手段とを有し、該現像剤担持体が被現像体を押圧しながら被現像体を現像剤で現像する現像装置において、
該現像剤量規制手段が該現像剤担持体との当接部から該現像剤量規制手段の自由端までの間に少なくとも該磁界発生手段が発生する磁束密度Ｂに関して（１）式を満たす点を含み、且つ該当接部から該自由端までの長さＬと、該自由端に最も近接する磁極が形成する磁束密度の半値幅θｈ、現像剤担持体半径Ｒとの関係が（２）式を満たす事を特徴とする現像装置。
｜Ｂｒ｜／｜Ｂ｜≧０．５・・・（１）式
０．３≦Ｌ／（Ｒ×ｔａｎθｈ）≦１．２・・・（２）式
ここで、｜Ｂ｜は、磁束密度Ｂの大きさ（｜Ｂ｜＝｜Ｂｒ２＋Ｂθ２｜１／２）であり、Ｂｒは、該現像剤担持体表面に形成される磁束密度Ｂのうち、該現像剤担持体表面に対して垂直成分、Ｂθは該現像剤担持体表面に対して水平成分である。
【請求項２】
該現像剤量規制手段と現像剤担持体の当接部が、該磁界発生手段により発生する磁束密度と（３）式を満たす関係に位置することを特徴とする請求項１に記載の現像装置。
｜Ｂｒ｜／｜Ｂ｜＜０．５・・・（３）式
【請求項３】
該現像剤量規制手段が、少なくとも導電部材と、該導電部材に直流バイアスを印加する電圧印加手段を有し、該導電部材に該現像剤担持体に対して現像剤と同極性のバイアスを印加する事を特徴とする請求項１または２に記載の現像装置。
【請求項４】
該現像剤量規制手段が、少なくとも導電部材と、該導電部材に交番バイアスを重畳した直流バイアスを印加する電圧印加手段を有し、該直流バイアスは該現像剤担持体に対して現像剤と同極性のバイアスである事を特徴とする請求項１または２に記載の現像装置。
【請求項５】
該現像剤担持体が直流バイアスに交番バイアスを重畳したバイアスＶを印加する電圧印加手段を具備し、該現像バイアスの絶対値の最大値｜Ｖ｜ｍａｘと該帯電手段により被現像体表面を一様に帯電する所定の電圧値Ｖｄ（暗電位）の関係が｜Ｖ｜ｍａｘ≦｜Ｖｄ｜を満たし、該バイアスＶを該現像剤担持体に印加して、現像剤を被現像体に現像することを特徴とする請求項１乃至３の何れかに記載の現像装置。
【請求項６】
該長さＬと、該半値幅θｈ、該半径Ｒとの関係が（４）式を満たす事を特徴とする請求項１乃至５の何れかに記載の現像装置。
０．５≦Ｌ／（Ｒ×ｔａｎθｈ）≦１・・・（４）式
【請求項７】
画像形成装置に着脱可能であり、少なくとも１乃至６の何れかに記載の現像装置を含むことを特徴とするプロセスカートリッジ。
【請求項８】
少なくとも、像担持体、該像担持体を帯電する帯電装置、該静電潜像を現像する現像装置、該像担持体の該現像剤を被転写材に転写する転写手段とを有する画像形成装置において、該現像装置は請求項１乃至６の何れかに記載の現像装置であることを特徴とする画像形成装置。
【請求項９】
少なくとも、像担持体、該像担持体を帯電する帯電装置、該静電潜像を現像する現像装置、該像担持体の該現像剤を被転写材に転写する転写手段とを有する画像形成装置において、該現像装置は請求項１乃至６の何れかに記載の現像装置であるとともに、像担持体上に残留した転写残現像剤を該現像装置にて回収することを特徴とする画像形成装置。
【発明の詳細な説明】
【技術分野】
【０００１】
本発明は、被現像体を現像する現像装置に関する。より詳しくは、被現像体に接触して現像する、一成分現像方式の接触現像装置に関する。
【０００２】
また、該現像装置を電子写真感光体・静電記録誘電体等の像担持体の現像処理手段として使用したプロセスカートリッジ、および該現像装置を像担持体の現像処理手段として使用した複写機やプリンタ等の画像記録装置（画像形成装置）に関する。
【背景技術】
【０００３】
例えば電子写真画像形成装置において被現像体（像担持体）としての電子写真感光体に形成した静電潜像を一成分現像剤で現像する従来の一成分現像方式としては、（１）非磁性接触現像方式と、（２）磁性非接触現像方式が広く用いられている。
【０００４】
（１）非磁性接触現像方式
誘電体層をもつ現像ローラ（現像剤担持体）上に、非磁性現像剤を担持し感光体の表面に接触させて現像を行う方式が提案されている（例えば、特許文献１参照）。現像装置内の現像剤は機械的攪拌機構や重力により現像ローラ近傍に供給する。現像ローラには接触する弾性ローラが設けられ現像剤の搬送供給を行う。この弾性ローラは、現像ローラ上の現像剤を均一にする目的から、感光体に移行せずに現像ローラに残った現像剤を一旦除去する機能も担っている。感光体の基材と現像ローラの間にはＤＣバイアスが印加される。
【０００５】
（２）磁性非接触現像方式
この方式（例えば、特許文献２及び特許文献３参照）は、磁性一成分現像剤を用い、マグネットを内包した現像スリーブ（現像剤担持体）に現像剤を担持し、現像スリーブの表面から所定の微小間隙をおいて感光体に対向させ、この間隙を飛翔する現像剤により現像する。現像装置内の現像剤は、機械的攪拌機構や重力により現像スリーブに搬送されるとともに、現像剤はマグネットによる一定の磁力を受けて現像スリーブに供給される。そして、規制手段により現像スリーブ上に一定の現像剤層を形成し、現像に用いられる。マグネットにより現像剤に働く力は現像剤の搬送のみでなく、現像部においても積極的に使用される。現像部においては現像剤が非画像部に移行しカブリなどの画像不良が発生するのを防止する。つまり、現像時に現像剤は現像スリーブに内包したマグネットに向かい磁力を受けているからである。現像剤の飛翔にはＤＣバイアスにＡＣバイアスを重畳したバイアスが使用される。ＤＣバイアス電圧は、感光体の画像部電位と非画像部電位の間の値に調整される。更に、ＡＣ電圧を重畳し、画像部及び非画像部に対し現像剤が往復運動することにより現像剤で画像部を現像する。
【０００６】
（３）クリーナーレス（トナーリサイクル）システム
装置構成の簡略化や廃棄物を無くすという観点から、転写方式の画像形成装置において感光体の転写工程後の表面清掃手段である専用のドラムクリーナーを廃し、トナーを装置内でリサイクルする電子写真プロセスの提案がされている。例えば、前述の非磁性接触現像方式を用いて、現像時と同時に転写残となった現像剤を回収する画像形成装置が提案されている（例えば、特許文献４参照）。
【０００７】
また、前述の磁性非接触現像方式を用いて、現像時に同時に転写残となった現像剤を回収する画像形成装置も提案されている（例えば、特許文献５参照）。
【特許文献１】特開２００１−９２２０１号公報
【特許文献２】特開昭５４−４３０２７号公報
【特許文献３】特開昭５５−１８６５６号公報
【特許文献４】特許第２５９８１３１号公報
【特許文献５】特開平１０−３０７４５５号公報
【発明の開示】
【発明が解決しようとする課題】
【０００８】
前記（１）の従来の非磁性接触現像方式においては、耐久時におけるカブリ性能の低下が問題であった。弾性ローラによる機械的剥ぎ取りを繰り返すうちにトナーの特性が低下し、トナーの摩擦帯電特性などの低下により、カブリを悪化させることがある。カブリとは、本来印字しない白部（未露光部）においてトナーがわずかに現像され地汚れのように現れる画像不良のことである。トナー特性低下防止のために弾性ローラの摺擦力を弱めることも可能であるが、ゴースト画像不良との両立が困難である。ここでゴースト画像は、現像ローラの前周回に現像したトナー量の履歴が次周回以降に均一な中間調画像中に現像ローラ外周の位相差をもって濃度ムラが現れる現象である。また、ゴーストがあるということは、剥ぎ取られずに現像ローラ上に留まるトナーがあるということを意味する。
【０００９】
つまり、弾性ローラによる摺擦を連続的に受けることからトナーの特性低下の観点からも好ましくない。摺擦力の調整は、カブリとゴーストの観点から背反するだけでなく、カブリ単独の問題においても背反する問題を持っている。
【００１０】
また、トナー特性が低下してくると、現像装置内の循環の影響を受けやすいという問題も生じた。具体的には、機械的あるいは重力を使用した循環において、特に現像ローラ周辺でほとんど剤（現像剤、トナー）が入れ替わらず循環しない領域ができる。一方循環している剤は一定の特性低下が生じている。このように二種類の剤が、容器内のトナーが減少したときに、混ざると凝集などを生じカブリなどの問題を生じた。更に、弾性ローラそのものに起因する画像不良がある。
【００１１】
一方、前記（２）の磁性非接触現像方式においては、磁気穂による画像不良がある。ヘアラインの均一性が、縦横で異なるという問題がある。磁気穂が感光体（感光ドラム）進行方向と平行に移動しながら現像するときは、ヘアラインの均一性が良く、それと直交する方向は途切れがちになる。また、画像エッジ不良を生じる。高濃度部のエッジ、特にプロセス下流側が濃く現像され、また、高濃度部に隣接する中間調部分のエッジが薄く現像される。要因は、非接触でＡＣ電界により現像剤を往復させながら現像することにあると予想する（図９）。現像部においてトナーが面方向に移動し、特にエッジ部下流にトナーが滞留し、逆にエッジの外部からトナーを引き寄せ上記のような画像不良を生じる。更に、クリーナーレスシステムの画像形成装置においては、非接触であるため、感光ドラム上のトナーを回収する能力が低く、転写残トナーがゴーストとなってベタ白や中間調に表れるという問題がある。また、ベタ黒中に白点を生じる。この白点は、高温高湿下で、現像ローラと感光ドラムの間に紙粉が混入したときに生じやすい。現像ローラと感光ドラム間にバイアスリークが生じその結果、感光ドラム上の潜像電位が上昇（負に）したためと予想される。
【００１２】
本発明は以上のような課題を解決し、新たに優れた現像装置及び画像形成装置を提供することを目的とする。
【課題を解決するための手段】
【００１３】
発明（１）：少なくとも表面に弾性層と内部に固定された磁界発生手段を具備し、円形度が０．９６５以上の一成分磁性現像剤を磁力により保持する現像剤担持体と、該現像剤担持体回転方向に対してカウンター方向に当接され該現像剤担持体上の現像剤を規制する現像剤量規制手段とを有し、該現像剤担持体が被現像体を押圧しながら被現像体を現像剤で現像する現像装置において、
該現像剤量規制手段が該現像剤担持体との当接部から該現像剤量規制手段の自由端までの間に少なくとも該磁界発生手段が発生する磁束密度Ｂに関して（１）式を満たす点を含み、且つ該当接部から該自由端までの長さＬと、該自由端に最も近接する磁極が形成する磁束密度の半値幅θｈ、現像剤担持体半径Ｒとの関係が（２）式を満たす事を特徴とする現像装置。
【００１４】
｜Ｂｒ｜／｜Ｂ｜≧０．５・・・（１）式
０．３≦Ｌ／（Ｒ×ｔａｎθｈ）≦１．２・・・（２）式
ここで、｜Ｂ｜は、磁束密度Ｂの大きさ（｜Ｂ｜＝｜Ｂｒ２＋Ｂθ２｜１／２）であり、Ｂｒは、該現像剤担持体表面に形成される磁束密度Ｂのうち、該現像剤担持体表面に対して垂直成分、Ｂθは該現像剤担持体表面に対して水平成分である。
【００１５】
発明（２）：該現像剤量規制手段と現像剤担持体の当接部が、該磁界発生手段により発生する磁束密度と（３）式を満たす関係に位置することを特徴とする（１）に記載の現像装置。
【００１６】
｜Ｂｒ｜／｜Ｂ｜＜０．５・・・（３）式
発明（３）：該現像剤量規制手段が、少なくとも導電部材と、該導電部材に直流バイアスを印加する電圧印加手段を有し、該導電部材に該現像剤担持体に対して現像剤と同極性のバイアスを印加する事を特徴とする（１）または（２）に記載の現像装置。
【００１７】
発明（４）：該現像剤量規制手段が、少なくとも導電部材と、該導電部材に交番バイアスを重畳した直流バイアスを印加する電圧印加手段を有し、該直流バイアスは該現像剤担持体に対して現像剤と同極性のバイアスである事を特徴とする（１）または（２）に記載の現像装置。
【００１８】
発明（５）：該現像剤担持体が直流バイアスに交番バイアスを重畳したバイアスＶを印加する電圧印加手段を具備し、該現像バイアスの絶対値の最大値｜Ｖ｜ｍａｘと該帯電手段により被現像体表面を一様に帯電する所定の電圧値Ｖｄ（暗電位）の関係が｜Ｖ｜ｍａｘ≦｜Ｖｄ｜を満たし、該バイアスＶを該現像剤担持体に印加して、現像剤を被現像体に現像することを特徴とする（１）乃至（３）の何れかに記載の現像装置。
【００１９】
発明（６）：該長さＬと、該半値幅θｈ、該半径Ｒとの関係が（４）式を満たす事を特徴とする（１）乃至（５）の何れかに記載の現像装置。
【００２０】
０．５≦Ｌ／（Ｒ×ｔａｎθｈ）≦１・・・（４）式
発明（７）：画像形成装置に着脱可能であり、少なくとも１乃至６の何れかに記載の現像装置を含むことを特徴とするプロセスカートリッジ。
【００２１】
発明（８）：少なくとも、像担持体、該像担持体を帯電する帯電装置、該静電潜像を現像する現像装置、該像担持体の該現像剤を被転写材に転写する転写手段とを有する画像形成装置において、該現像装置は（１）乃至（６）の何れかに記載の現像装置であることを特徴とする画像形成装置。
【００２２】
発明（９）：少なくとも、像担持体、該像担持体を帯電する帯電装置、該静電潜像を現像する現像装置、該像担持体の該現像剤を被転写材に転写する転写手段とを有する画像形成装置において、該現像装置は（１）乃至（６）の何れかに記載の現像装置であるとともに、像担持体上に残留した転写残現像剤を該現像装置にて回収することを特徴とする画像形成装置。
【発明の効果】
【００２３】
１）発明（１）によれば、以下の点において効果がある。すなわち、発明（１）のような構成をとることで、現像剤を現像剤担持体表面に磁気的に搬送するため、現像剤供給ローラを必要とせず、現像剤に与えるストレスを低下させることができる。さらに現像剤の円形度を上げる（現像剤を球形に近づける）事で均一な中間調の再現性を向上すると共に、現像剤量規制手段の自由端に関して上記条件を満たすように設定する事で、離型性が高い球形現像剤でも現像剤担持体に迅速に供給して、均一なベタ黒の再現を可能とした。さらに球形トナーを現像剤量規制手段当接部上流側に密に充填する事で現像剤量規制手段・現像剤担持体との摺擦を活発にし、安定した摩擦帯電と現像剤担持体上の現像剤の剥ぎ取りを向上し、特にエッジ部における現像剤担持体上の現像履歴（ゴースト）を低減できるになった。さらに球形現像剤と現像剤担持体に印加するＤＣバイアスにより、現像時においては同様の磁場でも長い磁気穂の形成を抑制し、現像時の磁気穂の影響を減らすことが可能となった。また、画像エッジ不良もなく均一な画像再現が可能であった。これは、弾性層を有する現像剤担持体を被現像体に接触させＤＣ現像とすることで、現像剤の往復により現像剤がはきよせられるのを防止している。
【００２４】
平均円形度が０．９８という球形現像剤を用いることで現像剤量規制手段の取込部における良好な現像剤循環が得られやすく、したがって現像剤量規制手段の取込部の長さＬは、Ｌ／（Ｒ×ｔａｎθｈ）＝０．９５となるようにして比較的長い距離において現像剤を挟持しても、一部の現像剤が滞留して極度に劣化することもなく、耐久時においても安定した現像剤コートが得られる。また、ヘアライン再現性が向上する。さらに、クリーナーレスにおける中間調再現性が向上する。離型性の高い球形現像剤を活発に現像剤循環させて現像剤担持体上の現像剤を入れ換える事が可能となるため、画像不良のない良好な中間調画像が得られた。離型性の高い球形現像剤を用いて効果的に剥ぎ取ること、および、現像剤担持体が弾性層を有することで電気的な付着力を低下させることにより、高い入替わり性を実現することができる。その結果、多量の戻り現像剤に対しても凝集塊の生成や紙粉が混入しても良好な中間調画像をえることができた。
【００２５】
２）発明（２）によれば、以下の点において効果がある。すなわち、発明（２）のように、現像剤量規制手段における当接部が、固定の磁界発生手段が発生する磁束密度と｜Ｂｒ｜／｜Ｂ｜＜０．５を満たす関係に位置することで、現像剤に水平磁界が支配的な領域で規制し、現像剤に与えるストレスを低下させることが出来る。また規制部から取込部に向かう磁力を発生させる磁力線を発生することが出来ることから、現像剤量規制手段の規制部において剥ぎ取られた現像剤を再度取込部に戻すトナー循環をさらに促進し、現像剤量規制手段の規制部近傍への現像剤滞留を防止するため、耐久により局所的にストレスを受けた現像剤による磁気凝集の発生をさらに抑制し、印字枚数（特に低印字率時に）が増えたときにも、現像剤の劣化を抑制し、カブリの発生を防止する。
【００２６】
３）発明（３）によれば、以下の点において効果がある。すなわち、発明（３）のように、現像剤量規制手段が、少なくとも導電部材と、該導電部材に直流バイアスを印加する電圧印加手段を有し、導電部材に現像剤担持体に対して現像剤と同極性のバイアスを印加する事で、規制部においては電界により現像剤への電荷付与を促進する。さらに取込部において逆極性帯電現像剤や低帯電量現像剤を電界により現像剤担持体上から遠ざけることで、現像剤量規制手段通過後の現像剤担持体上の現像剤の帯電性を向上し、磁気凝集により帯電特性が低下した耐久時の現像剤においてもカブリの発生を抑制する。
【００２７】
４）発明（４）によれば、以下の点において効果がある。すなわち、発明（４）のように、現像剤量規制手段が、少なくとも導電部材と、該導電部材に交番バイアスを重畳した直流バイアスを印加する電圧印加手段を有し、該直流バイアスは該現像剤担持体に対して現像剤と同極性のバイアスであることで、直流バイアスにより現像剤の平均帯電量を増加すると共に、交番バイアスにより現像剤担持体上の現像剤の入れ替わりと現像剤量規制手段取込部における現像剤循環を促進し、エッジ部ゴーストを抑制し、本発明における効果を強めることが出来る。
【００２８】
５）発明（５）によれば、以下の点において効果がある。すなわち、発明（５）のように、現像剤担持体が直流バイアスに交番バイアスを重畳したバイアスＶを印加する電圧印加手段を具備し、該現像バイアスの絶対値の最大値｜Ｖ｜ｍａｘと該帯電手段により被現像体表面を一様に帯電する所定の電圧値Ｖｄ（暗電位）の関係が｜Ｖ｜ｍａｘ≦｜Ｖｄ｜を満たし、該バイアスＶを該現像剤担持体に印加して、現像剤を被現像体に現像する構成をとることで、発明（４）の効果と共に、クリーナーレス構成時においては現像剤担持体が被現像体を押圧しながら被現像体を現像剤で現像することで転写残現像剤の回収性を向上することができる。
【００２９】
６）発明（６）によれば、以下の点において効果がある。すなわち、発明（６）のように、０．５≦Ｌ／（Ｒ×ｔａｎθｈ）≦１とすることで、さらに良好な現像剤循環と入れ替わり性によるエッジ部ゴーストとベタ黒均一性、カブリの向上が図れる。
【００３０】
７）発明（７）によれば、以下の点において効果がある。すなわち、発明（７）のように、画像形成装置に着脱可能であり、少なくとも発明（１）乃至（６）の何れかに記載の現像装置を含むことを特徴とするプロセスカートリッジとすることで、本発明における効果をメンテナンスフリーで簡易な構成で実現する。
【００３１】
８）発明（８）によれば、以下の点において効果がある。すなわち、発明（８）のように、少なくとも、像担持体、該像担持体を帯電する帯電装置、該静電潜像を現像する現像装置、該像担持体の該現像剤を被転写材に転写する転写手段とを有する画像形成装置において、該現像装置は発明（１）乃至（６）の何れかに記載の現像装置であることを特徴とする画像形成装置とすることで、本発明における現像装置の効果を実現可能な画像形成装置を達成する。
【００３２】
９）発明（９）によれば、以下の点において効果がある。すなわち、発明（９）のように、少なくとも、像担持体、該像担持体を帯電する帯電装置、該静電潜像を現像する現像装置、該像担持体の該現像剤を被転写材に転写する転写手段とを有する画像形成装置において、該現像装置は発明（１）乃至（６）の何れかに記載の現像装置であるとともに、像担持体上に残留した転写残現像剤を該現像装置にて回収することで、前記発明（１）〜（６）の効果があることはもちろん、それ以外において以下の点において効果がある。
【００３３】
ａ：クリーナーレスシステムにおいて、像担持体と現像剤担持体と押圧し当接することで像担持体と現像剤担持体間が近づくことで電界あるいは磁界が働く領域および強度が増加し、像担持体上の未露光部に付着した転写残り現像剤の回収性を向上することができる。
【００３４】
ｂ：クリーナーレスシステムにおいて、現像剤が一成分磁性現像剤であり、現像剤は該現像剤担持体内部に設けられた固定の磁界発生手段によって現像剤担持体に引き寄せられることによって、現像剤を現像剤担持体上に磁気的に搬送するため、現像剤を現像担持体上へ供給する現像剤供給ローラを必要としないことから、戻り現像剤による現像剤劣化を抑制し、該現像剤量規制手段における段差部による現像剤量の規制、金属の比誘電率より低い弾性層を有することにより、入替わり性が向上するため、戻り現像剤に含まれる異物を核に現像剤凝集塊の発生および現像剤供給ローラへの現像剤凝集塊付着による中間調画像不良を抑制することができる。
【００３５】
ｃ：クリーナーレスシステムにおいて、現像剤が一成分磁性現像剤であり、現像剤は該現像剤担持体内部に設けられた固定の磁界発生手段によって現像剤担持体に引き寄せられることによって、現像剤を現像剤担持体上に磁気的に搬送するため、現像剤を現像担持体上へ供給する現像剤供給ローラを必要としないことから、印字枚数が増えたときに、現像剤供給ローラと現像剤担持体の摺接による現像剤供給ローラに戻り現像剤に含まれる紙粉が溜まることにより、剥ぎ取り供給不良による現像剤担持体周期の中間調画像不良を抑制することができる。
【００３６】
ｄ：クリーナーレスシステムにおいて、現像バイアスとして、直流電圧を印加し、現像剤担持体が像担持体を押圧しながら像担持体を現像剤で現像することで高温高湿時おける戻り現像剤に含まれる紙粉をかえして生じるリークを抑制し、ベタ黒中の白の斑点による画像不良を抑制することができる。
【００３７】
ｅ：クリーナーレスシステムにおいて、現像バイアスとして、｜Ｖ｜ｍａｘ≦｜Ｖｄ｜をみたし、直流電圧に交番電圧を重畳したものを印加し、現像剤担持体が像担持体を押圧しながら像担持体を現像剤で現像することで高温高湿時おける戻り現像剤に含まれる紙粉をかえして生じるリークを抑制し、ベタ黒中の白の斑点による画像不良を抑制することができる。
【発明を実施するための最良の形態】
【００３８】
【実施例】
【００３９】
《実施形態１》
図１は本発明に従う現像装置を用いた画像記録装置（画像形成装置）の概略構成図である。この画像記録装置は、転写式電子写真プロセス利用のレーザプリンタである。
【００４０】
（１）画像記録装置の全体的な概略構成
１は像担持体（被現像体）であるところの感光体であり、本例ではφ２４ｍｍの回転ドラム型の負極性ＯＰＣ感光体（ネガ感光体、以下、感光ドラムと記す）である。この感光ドラム１は矢印の時計方向に周速度８５ｍｍ／ｓｅｃ（＝プロセススピードＰＳ、印字速度）の一定速度をもって回転駆動される。
【００４１】
２は感光ドラム１の帯電手段としての帯電ローラである。この帯電ローラ２は導電性の弾性ローラであり、２ａは芯金、２ｂは導電性弾性層である。この帯電ローラ２を感光ドラム１に所定の押圧力で圧接させて感光ドラム１との間に帯電部ｎを形成させてある。本例ではこの帯電ローラ２は感光ドラム１の回転に従動して回転する。
【００４２】
Ｓ１は帯電ローラ２に帯電バイアスを印加する帯電電源である。本例ではこの帯電電源Ｓ１から帯電ローラ２との間の接触部に放電開始電圧以上の直流電圧を印加する。具体的には帯電バイアスとして−１３００Ｖの直流電圧を印加して、感光ドラム１面を帯電電位（暗部電位）−７００Ｖに一様に接触帯電させている。
【００４３】
４はレーザダイオード・ポリゴンミラー等を含むレーザビームスキャナ（露光装置）である。このレーザビームスキャナ４は目的の画像情報の時系列電気ディジタル画素信号に対応して強度変調されたレーザ光を出力し、該レーザ光で上記回転感光ドラム１の一様帯電面を走査露光Ｌする。感光ドラム１の一様帯電処理面をレーザ光で全面露光した場合、感光ドラム面の電位が−１５０Ｖになるようにレーザーパワーは調整されている。
【００４４】
この走査露光Ｌにより回転感光ドラム１の面に目的の画像情報に対応した静電潜像が形成される。
【００４５】
６０Ａは後述する実施例１の現像装置（現像器）である。トナーｔはネガ極性に一定の摩擦帯電を帯び、現像バイアス印加電源Ｓ２により現像剤担持体（トナー担持体）としての現像スリーブ６０ｂと感光ドラム１との間に印加された現像バイアスにより現像領域ａにおいて感光ドラム１上の静電潜像を顕像化する。
【００４６】
現像装置６０については、後述する各実施例及び比較例にて詳述する。
【００４７】
６は接触転写手段としての中抵抗の転写ローラであり、感光ドラム１に所定に圧接させて転写ニップ部ｂを形成させてある。この転写ニップ部ｂに不図示の給紙部から所定のタイミングで被記録体としての転写材Ｐが給紙され、かつ転写ローラ６に転写バイアス印加電源Ｓ３から所定の転写バイアス電圧が印加されることで、感光ドラム１側のトナー像が転写ニップ部ｂに給紙された転写材Ｐの面に順次に転写されていく。
【００４８】
本例で使用の転写ローラ６は、芯金６ａに中抵抗発泡層６ｂを形成した、ローラ抵抗値５×１０８Ωのものであり、＋２．０ｋＶの電圧を芯金６ａに印加して転写を行なった。転写ニップ部ｂに導入された転写材Ｐはこの転写ニップ部ｂを挟持搬送されて、その表面側に回転感光ドラム１の表面に形成担持されているトナー画像が順次に静電気力と押圧力にて転写されていく。
【００４９】
７は熱定着方式等の定着装置である。転写ニップ部ｂに給紙されて感光ドラム１側のトナー画像の転写を受けた転写材Ｐは回転感光ドラム１の面から分離されてこの定着装置７に導入され、トナー画像の定着を受けて画像形成物（プリントコピー）として装置外へ排出される。
【００５０】
８は感光ドラムクリーニング装置（ドラムクリーナー）であり、感光ドラム１上に残留した転写残トナーをクリーニングブレード８ａで掻き落として廃トナー容器８ｂに回収する。
【００５１】
そして、感光ドラム１は再度帯電装置２により帯電され、繰り返して画像形成に用いられる。
【００５２】
９Ａは感光ドラム１、帯電ローラ２、現像装置６０、ドラムクリーナー８を一体で形成したカートリッジであり、画像形成装置から着脱可能な構成とした。
【００５３】
《実施形態２》
図２は本発明の現像装置を用いた第二の実施形態の画像記録装置を示す概略構成図である。本実施形態の画像記録装置は、転写式電子写真プロセス利用、トナーリサイクルプロセス（クリーナーレスシステム）のレーザプリンタである。前述の実施形態１の画像記録装置と同様の点については再度の説明を省略し、異なる点について述べる。
【００５４】
本形態において最も異なる点は、ドラムクリーナーを廃し、転写残トナーをリサイクルするところにある。転写残トナーが、帯電などのほかのプロセスに悪影響を及ぼさないように循環させトナーを、現像装置に回収する。具体的には、実施形態１に対し以下の構成を変更した。
【００５５】
帯電について、帯電ローラ２は実施形態１と同様のものを用いているが、本形態では帯電ローラの駆動を行っている。帯電ローラ２の表面の速度と感光ドラム１の表面速度（プロセススピード）が同じになるように帯電ローラ２の回転数を調整する。帯電ローラ２を駆動することにより、帯電ローラ２は感光ドラム１及び当接部材２０と確実に接触し、トナーをマイナスに（正規の極性）に帯電する。また、帯電ローラ２には、帯電ローラ２のトナー汚れを防止する目的から帯電ローラ当接部材２０を備える。帯電ローラ２がその帯電極性と逆極性（プラス極性）のトナーで汚れた場合であっても、トナーの電荷をプラスからマイナスへと帯電し、帯電ローラ２から速やかに吐き出し現像装置６０にて現像同時クリーニングにより回収することが可能となる。当接部材２０は、１００μｍのポリイミドのフィルムを使用し、線圧１０（Ｎ／ｍ）以下で帯電ローラに当接した。ポリイミドはトナーに対し負電荷を与える摩擦帯電特性を有していることから使用した。
【００５６】
９Ｂは感光ドラム１、帯電ローラ２、帯電ローラ当接部材２０、現像装置６０、を一体で形成したカートリッジであり、画像形成装置から着脱可能な構成とした。
【００５７】
《実施例及び比較例》
［実施例１］
接触、弾性スリーブ、極位置取込部、球形トナー
本実施例の現像装置６０Ａ（図１，図２）について説明する。６０ｂは固定の磁界発生手段としてのマグネットロール６０ａを内包させた、現像剤担持体（現像剤担持搬送部材）としての現像スリーブである。現像スリーブ６０ｂはアルミシリンダー６０ｂ１上に非磁性の導電弾性層６０ｂ２を形成して構成され、感光ドラム１に対し一定の加圧量をもって当接されている。感光ドラムと現像スリーブ間の圧力は、引抜き圧で２００Ｎ／ｍになるよう調整した。引抜き圧とは、当接させる２つの部材の間に、厚さ３０μｍの２枚のＳＵＳ板で挟んだ同じく３０μｍのＳＵＳ板を挟み、そのＳＵＳ板を引抜くときの力をＳＵＳ板の長さ１ｍあたりに換算した線圧相当値である。
【００５８】
現像スリーブ６０ｂの製造方法は、非磁性の導電性弾性層６０ｂ２となる材料を混練し、これを押出し成形して、外径１２ｍｍのアルミスリーブ６０ｂ１上に弾性層６０ｂ２として接着し、接着後該層６０ｂ２を厚さ５００μｍに研摩して作製した。現像スリーブ６０ｂのマイクロ硬度は７２度であり、表面粗さはＲｚで３．８μｍ、Ｒａで０．６μｍであった。
【００５９】
本発明において、マイクロ硬度計によって測定される表面硬度の測定は、マイクロ硬度計（アスカーＭＤ−１  Ｆ３６０Ａ：高分子株式会社製）を用いて行った。表面粗さの測定器には小坂研究所（株）製、サーフコーダＳＥ３４００に接触検出ユニットＰＵ−ＤＪ２Ｓを用い、測定条件は測定長２．５ｍｍ、垂直方向倍率２０００倍、水平方向倍率１００倍、カットオフ０．８ｍｍ、フィルタ設定２ＣＲ、レベリング設定をフロントデータで行った。
【００６０】
マグネットロール６０ａは現像スリーブ上の各場所における磁力を発生するための磁界発生手段としての固定磁石である。図３（ａ）に示すように現像部Ｓα、搬送部Ｎα、供給部Ｓβ、捕集部Ｎβの各場所にピーク密度を有する。本発明における磁束密度の測定はベル社製のガウスメータのシリーズ９９００、プローブＡ−９９−１５３を用いて行った。同ガウスメータはガウスメータ本体に接続された棒状のアキシャルプローブを有する。現像スリーブを水平に固定し、内部のマグネットロールは回転自在に取付ける。この現像スリーブに対し若干の間隔を開けて水平姿勢のプローブを直角に配置し、現像スリーブの中心とプローブの中心が略同一水平面上に位置するようにして固定し、その状態で磁束密度を測定する。マグネットロールは現像スリーブと略同心の円筒体であり、現像スリーブとマグネットロールとの間の間隔はどこでも等しいと考えてよい。従ってマグネットローラを回転しながら、現像スリーブの表面位置及び表面位置における法線方向の磁束密度を測定することにより、現像スリーブの周方向について全ての位置で測定したものに代えることができる。得られた周方向の磁束密度データより各位置のピーク強度を求め、Ｂｒとした。次に、垂直に配したプローブを現像スリーブ６０ｂの周方向の接線方向に９０度回転させ、マグネットローラを回転することにより、現像スリーブの表面位置及び表面位置における接線方向の磁束密度を測定し、Ｂθとした。
【００６１】
各角度におけるＢｒとＢθの値から、磁束密度Ｂの大きさ｜Ｂ｜を
｜Ｂ｜＝｜Ｂｒ２＋Ｂθ２｜１／２
を算出した。
【００６２】
次に、磁束密度の大きさ｜Ｂ｜に対するスリーブ表面垂直成分の大きさ｜Ｂｒ｜の比（｜Ｂｒ｜／｜Ｂ｜）を求めた。
【００６３】
その結果およびＢｒ、Ｂθを図３（ｂ）に示す。横軸の角度は、原点を供給部Ｓβ極にとり、正の方向は、スリーブ回転方向に対して下流方向（Ｓβ→Ｎα→Ｓα→Ｎβ→Ｓβ）とした。右の縦軸は、磁束密度の強度であるが、Ｎ極を正にＳ極を負とし、左の縦軸は、｜Ｂｒ｜／｜Ｂ｜を示している。
【００６４】
トナーｔ１：現像剤である１成分磁性トナーｔ１は、懸濁重合法によって作製された平均円形度０．９８の磁性一成分トナーである。このような磁性重合トナーを作製する方法として、特開２００１−２３５８９９号公報などで提案されているものを用いた。
【００６５】
本発明における平均円形度は、粒子の形状を定量的に表現する簡便な方法として用いたものであり、本発明ではシスメックス製フロー式粒子像分析装置「ＦＰＩＡ−２１００」を用いて測定を行い、３μｍ以上の円相当径の粒子群について測定された各粒子の円形度（Ｃｉ）を下式（５）によりそれぞれ求め、さらに下式（６）で示すように測定され全粒子の円形度の総和を全粒子数（ｍ）で除した値を
【００６６】
【数１】
2006301109.tif 000003
【００６７】
磁性体粒子は結着樹脂と同重量処方し充分な磁力による搬送を可能な磁性粒子を作製した。ここで、磁性体量は結着樹脂１００重量部に対して１００重量部としたが、結着樹脂１００重量部に対する磁性体量は７０〜１２０重量部であれば、本発明の効果を十分得ることができる。また、トナーの平均粒径（Ｄ４）は６μｍであった。
【００６８】
トナーｔ１は、マグネットロール６０ａによる磁気力を受けながら現像スリーブ６０ｂ上を搬送される過程において、現像剤量規制手段としての規制ブレード６０ｃで層厚規制（現像剤量規制）及び電荷付与を受ける。６０ｄは現像容器６０ｅ内のトナーの循環を行い順次スリーブ周辺の磁力到達範囲内にトナーを搬送する攪拌部材である。
【００６９】
本現像装置は規制ブレード６０ｃとして厚さ１００μｍのリン青銅を用い、さらに本発明における効果を得るため、規制ブレードにスリーブと当接してトナー量を規制すると同時に摩擦帯電を行う当接部と、さらに当接部からスリーブ回転方向上流側に自由端を有して配置されている。即ち、規制ブレードは、現像スリーブの回転方向に対してカウンター方向となるように当接される。
【００７０】
ここで、規制ブレードの当接部位置（規制位置）は、図３におけるθ＝４８度（｜Ｂｒ｜／｜Ｂ｜＝０．２９）、引抜き圧７０（Ｎ／ｍ）、ブレード自由長Ｌ＝８ｍｍに設定した。ここで、ブレード自由長Ｌとは規制ブレード６０ｃと現像スリーブの当接部から規制ブレード自由端までの長さを意味する。また現像スリーブの当接部から規制ブレード自由端までの領域をブレードにおける取込部と称することにする。
【００７１】
本実施例では規制ブレード自由端の位置は図３のθ＝―２度（｜Ｂｒ｜／｜Ｂ｜＝０．９６）となった。このように現像スリーブの径方向の磁界が支配的な領域（｜Ｂｒ｜／｜Ｂ｜≧０．５）を磁極位置と呼び、また磁極位置がトナー取込部に含まれる事を極位置取込と呼ぶことにする。
【００７２】
なお、本発明において規制ブレードの規制部（当接位置）における磁界（磁束密度）とは規制ブレードと現像スリーブの当接ニップ中央位置と現像スリーブ中心の成す角度θにおける図３（ｂ）のＢｒ、Ｂθの値とし、規制ブレードの取込部における磁界とは自由端と現像スリーブ中心を結んだ直線と現像スリーブ表面の交点から規制部の間において図３（ｂ）の磁束密度における最大のＢｒ、Ｂθの値とする。
【００７３】
さらに、現像スリーブ６０ｂにコートされたトナーｔ１はスリーブ６０ａの回転により、感光ドラム１とスリーブ６０ａの対向部である現像部位（現像領域部）ａに搬送される。またスリーブ６０ａには現像バイアス印加電源Ｓ２より現像バイアス電圧（ＤＣ電圧−４５０Ｖ）が印加される。
【００７４】
さらに、規制ブレードにはＤＣ電源Ｓ５が接続され、ブレードバイアス電圧（ＤＣ電圧−５５０Ｖ）が印加される。ここでブレードバイアスとしては−５５０Ｖを印加したが、現像バイアスのＤＣ値に対してトナーと同極性側であれば良く、現像バイアスに対して−５０〜−２５０Ｖの電圧を印加する事で、本発明における効果を得る事が出来た。ここで現像スリーブは、感光ドラムに対し１．２倍の周速度で駆動される。これにより、感光ドラム１側の静電潜像がトナーｔ１により反転現像される。また、現像スリーブの感光ドラムに対する周速度は１．２倍としたが、現像スリーブの感光ドラムに対する周速度は１．０〜２．０倍であれば、本発明の効果を十分得ることができる。
【００７５】
ここで、本実施例における規制ブレードの自由長Ｌと現像スリーブ径Ｒ、磁極のうち規制ブレードの自由端に最も近接した磁極Ｓβにおいて、現像スリーブ表面における磁束密度の半値幅θｈの関係を図４に示す。本実施例における規制ブレードの取込部近傍における磁束密度の半値幅は５２°であり、Ｓβが形成する磁束密度｜Ｂｒ｜／｜Ｂ｜が１から０．５に変化する角度である。したがって半値幅θｈは現像スリーブ表面における磁束密度（磁界）の変化量の基準とすることができ、規制ブレードにおけるトナーの取込部長さＬと規制ブレード自由端に近接した磁極の半値幅θｈを用いた長さＲ×ｔａｎθｈの関係を示すＬ／（Ｒ×ｔａｎθｈ）は０．９５であった。
【００７６】
［実施例２］
接触、弾性スリーブ、極位置取込部、球形トナー
本実施例の現像装置は基本的には実施例１記載の現像装置６０Ａに準ずるが、トナーとして円形度が異なる重合トナーｔ２を用いた。
【００７７】
トナーｔ２：現像剤である１成分磁性トナーｔ１は、懸濁重合法によって作製された平均円形度０．９６７の磁性一成分トナーである。
【００７８】
［実施例３］
接触、弾性スリーブ、極位置取込部、球形トナー、規制ブレード等電位
本実施例の現像装置は基本的には実施例１記載の現像装置６０Ａに準ずるが規制ブレードに印加するバイアスを現像スリーブと等電位とした。
【００７９】
トナーｔ１：実施例１に準じる
［比較例１］
接触、弾性スリーブ、極位置取込部、不定形トナー
本比較例の現像装置は基本的には実施例１記載の現像装置６０Ａに準ずるがトナーとして円形度が異なる粉砕トナーｔ３を用いた。
【００８０】
トナーｔ３：現像剤である一成分磁性トナーｔ３は、結着樹脂、磁性体粒子、電荷制御剤を混合し混練、粉砕、分級の各行程を経て作製し、流動化剤などを外添剤として添加して作製されたものである。磁性体粒子は結着樹脂と同重量処方し充分な磁力による搬送を可能な磁性粒子を作製した。また、トナーｔ３はネガ帯電性であり、平均粒径（Ｄ４）としては６μｍのものを用いた。
【００８１】
［比較例２］
接触、弾性スリーブ、極位置取込部、球形トナー
本比較例の現像装置は基本的には実施例１に記載の現像装置６０Ａに準ずるが規制ブレードの弾性スリーブへの当接条件が異なる。
【００８２】
本例において、規制ブレードの当接位置が図３のθ＝８度、引抜き圧７０（Ｎ／ｍ）、ブレード自由長１．１ｍｍに設定した。
【００８３】
本比較例における取込部における径方向磁束密の度最大値は｜Ｂｒ｜／｜Ｂ｜＝１であり、またＬ／（Ｒ×ｔａｎθｈ）＝０．１３であった。
【００８４】
［比較例３］
接触、弾性スリーブ、極間取込部、球形トナー
本比較例における現像装置は基本的に実施例１記載の現像装置６０Ａに準ずるが規制ブレードの形状が異なるものである。
【００８５】
本例において、規制ブレードの当接位置は図３のθ＝５４度、引抜き圧５０（Ｎ／ｍ）、ブレード自由長３．３ｍｍに設定した。
【００８６】
本比較例における取込部の最大磁界は｜Ｂｒ｜／｜Ｂ｜＝０．４９であり、またＬ／（Ｒ×ｔａｎθｈ）＝０．４であった。
【００８７】
トナーｔ１：実施例１に準じる
［比較例４］
磁性非接触現像方式  極間位置規制、不定形トナー
本比較例の現像装置６０Ｂについて述べる。本比較例を用いる実施形態１の概略図を図６に示す。現像剤として前述のトナーｔ３を用いた。
【００８８】
６０ｆは実施例１で用いたマグネットロール６０ａを内包させた、現像剤担持搬送部材としての現像スリーブである。現像スリーブ６０ｆはアルミシリンダー表面をサンドブラストにて粗さを調節することにより構成され、感光ドラム１に対し３００μｍの間隙αを持って設置されている。現像スリーブ６０ｆのマイクロ硬度は１００度であり、表面粗さＲｚは１１．５μｍ、Ｒａは１．５μｍであった。現像装置６０Ｂに充填されたトナーｔ２は、マグネットロール６０ａによる磁気力を受けながら現像スリーブ６０ｆ上を搬送される過程において、厚み１．５ｍｍのウレタンの規制ブレード６０ｇで層厚規制及び電荷付与を受ける。６０ｄは現像容器６０ｅ内のトナーの循環を行い順次スリーブ周辺の磁力到達範囲内にトナーを搬送する攪拌部材である。
【００８９】
本現像装置は所望のトナー帯電量とコート量を得るため、スリーブと規制ブレードの当接位置を図３のθ＝４０度（｜Ｂｒ｜／｜Ｂ｜＝０．０３）、引抜き圧３０Ｎ／ｍ、ブレード自由長Ｌ＝１．１ｍｍに設定した。ここでブレード自由長Ｌとは規制ブレードと現像スリーブの当接ニップから規制ブレード自由端までの長さとした。
【００９０】
本比較例における取込部の最大磁界は｜Ｂｒ｜／｜Ｂ｜＝０．３７であり、またＬ／（Ｒ×ｔａｎθｈ）＝０．１３であった。
【００９１】
現像スリーブ６０ｆにコートされたトナーｔ３はスリーブ６０ａの回転により、感光ドラム１とスリーブ６０ｆの対向部である現像部位（現像領域部）ａに搬送される。またスリーブ６０ａには現像バイアス印加電源Ｓ４より現像バイアス電圧（ＤＣ電圧−４５０Ｖ、ＡＣ電圧（矩形波、１．８ｋＶｐｐ、１．６ｋＨｚ））が印加される。現像スリーブは、感光ドラムに対し１．２倍の周速度で駆動される。以上により、感光ドラム１側の静電潜像がトナーｔ３により反転現像される。現像剤として以下に示すようにトナーｔ３を用いた。
【００９２】
トナーｔ３：比較例１に準じる
［比較例５］
磁性非接触現像方式  極位置規制、不定形トナー
本比較例は比較例４と基本的に同等の非接触一成分現像装置６０Ｂにおいて、マグネットローラの磁極配置を変更したものである。
【００９３】
本現像装置はスリーブと規制ブレードの当接位置を図３のθ＝１度（｜Ｂｒ｜／｜Ｂ｜＝０．９９）、引抜き圧３０Ｎ／ｍ、ブレード自由長１．１ｍｍに設定したものである。
【００９４】
現像スリーブ６０ｆにコートされたトナーｔ２はスリーブ６０ａの回転により、感光ドラム１とスリーブ６０ｆの対向部である現像部位（現像領域部）ａに搬送される。またスリーブ６０ａには現像バイアス印加電源Ｓ４より現像バイアス電圧（ＤＣ電圧−４５０Ｖ、ＡＣ電圧（矩形波、１．８ｋＶｐｐ、１．６ｋＨｚ））が印加される。現像スリーブは、感光ドラムに対し１．２倍の周速度で駆動される。以上により、感光ドラム１側の静電潜像がトナーｔ２により反転現像される。現像剤として以下に示すようにトナーｔ３を用いた。
本比較例における取込部の最大磁界は｜Ｂｒ｜／｜Ｂ｜＝１であり、またＬ／（Ｒ×ｔａｎθｈ）＝０．１３であった。
【００９５】
トナーｔ３：比較例１に準ずる。
【００９６】
［比較例６］
回転式多極マグネットロール
本比較例の現像装置６０Ｃについて説明する。比較例６を用いた実施形態１の概略図を図７に示す。
【００９７】
６０ｒはマグネットロール６０ｑを内包させた、現像剤担持搬送部材としての現像スリーブである。現像スリーブ６０ｒはアルミシリンダー６０ｒ１上に非磁性の導電弾性層６０ｒ２を形成して構成され、感光ドラム１に対し一定の加圧量をもって当接されている。引抜き圧は２００Ｎ／ｍであった。
【００９８】
現像スリーブ６０ｒの製造方法
材料混練し、押出し成形して作製。厚さ５００μｍでアルミスリーブ６０ｒ１上に接着後研摩して作製した。マイクロ硬度は９４度であり、表面粗さＲａは１．２μｍであった。
【００９９】
マグネット６０ｑは等間隔に８極着磁された多極マグネットロールを用いる。ピーク密度の絶対値で、３００Ｇの磁束密度を発生する。また、マグネットロールはスリーブの回転方向とは逆方向に等しい回転数にて回転駆動する。
【０１００】
トナーｔ３は、マグネットロール６０ｐによる磁気力を受けながら現像スリーブ６０ｒ上を搬送される過程において、規制ブレード６０ｃで層厚規制及び電荷付与を受ける。６０ｄは現像容器６０ｅ内のトナーの循環を行い順次スリーブ周辺の磁力到達範囲内にトナーを搬送する攪拌部材である。
【０１０１】
本現像装置は所望のトナー帯電量とコート量を得るため、厚さ１００μｍのＳＫ鋼からなる規制ブレード６０ｃを引抜き圧３０Ｎ／ｍ、ブレード自由長１．１ｍｍに設定した。
【０１０２】
現像スリーブ６０ｒにコートされたトナーｔ３はスリーブ６０ｒの回転により、感光ドラム１とスリーブ６０ｒの対向部である現像部位（現像領域部）ａに搬送される。またスリーブ６０ｒには現像バイアス印加電源Ｓ２より現像バイアス電圧（ＤＣ電圧−４５０Ｖ）が印加される。現像スリーブは、感光ドラムに対し１．２倍の周速度で駆動される。これにより、感光ドラム１側の静電潜像がトナーｔ３により反転現像される。
【０１０３】
トナーｔ３：比較例１に準ずる。
【０１０４】
また、本例に類似の構成として、特公平４−１５９４９号公報に開示されている現像装置がある。
【０１０５】
［比較例７］
非磁性接触現像方式
本比較例の現像装置６０Ｄについて述べる。比較例６を用いた実施形態１の概略図を図８に示す。
【０１０６】
６０ｈは心金６０ｈ１上に導電弾性層６０ｈ２を形成し現像ローラである。また、６０ｋは心金６０ｋ１上に弾性層６０ｋ２を形成した、弾性ローラである。現像ローラは、感光ドラムに対し一定の加圧量を持って当接され、その引抜き圧は２００Ｎ／ｍであった。また、弾性ローラは現像ローラに対し一定の軸間隔で固定されており、その引抜き圧は４０Ｎ／ｍであった。また、現像ローラは感光ドラムに対し、１．４倍の周速度で駆動されており、弾性ローラは現像ローラと同回転数にて、表面が逆方向に移動するよう回転駆動されている。現像ローラのゴム硬度はマイクロ硬度で４２度であった。
【０１０７】
本実施例における現像剤としては後述するトナーｔ４が用いられる。トナーｔ４は攪拌部材６０ｄにより弾性ローラ６０ｋに供給される。更に弾性ローラ６０ｋはその回転によりトナーｔ４を現像ローラ６０ｈに供給し、トナーｔ４は規制部に搬送される。そして、現像ローラ上に供給されたトナーを厚さ１００μｍのリン青銅から形成される規制ブレード６０ｉにより一定の摩擦帯電とコート長に規制され現像部に搬送される。ここで規制ブレード６０ｉにおけるブレード自由長は１．１ｍｍ、現像ローラとの引き抜き厚は３０Ｎ／ｍとした。現像ローラ上を搬送されたトナーは現像部ａにおいて感光ドラムの現像に使用される。また、現像されずに現像ローラに残ったトナーは弾性ローラで一旦剥ぎ取られ再度容器内を循環し、再び現像ローラにコートされる。
【０１０８】
現像バイアスはＤＣ電圧―４５０Ｖを現像ローラ心金に印加した。また、弾性ローラ及び規制ブレードは、現像バイアスと電気的に共通とし、同じ現像バイアス電位を印加した。
トナーｔ４：現像剤である１成分非磁性トナーｔ４は、結着樹脂、着色剤、電荷制御剤を混合し混練、粉砕、分級の各行程を経て作製し、さらに帯電粒子や流動化剤などを外添剤として添加して作製されたものである。トナーはネガ帯電性であり、平均粒径（Ｄ４）は６μｍであった。
【０１０９】
《従来技術および比較例に対する本実施例の優位性について》
（各実施例及び比較例の評価方法）
以下では、本発明と比較例の差異を調べるための画像評価について述べる。
【０１１０】
実施形態１における各種画像評価
ａ−１）磁気凝集量
磁性トナーにおいては耐久時にトナー同士が磁力により凝集し、トナーの離型性、帯電性を低下する現象が発生した。ここではそれを磁気凝集と呼ぶ事にする。
【０１１１】
本発明における磁気凝集量の評価法としてはシスメックス株式会社製フロー式粒子像分析装置ＦＰＩＡ２１００により得られた粒度別トナー形状の写真より評価を行った。
【０１１２】
ＦＰＩＡ２１００による測定法としては、測定溶媒５０〜１５０ｍｌ中に分散剤として界面活性剤を０．１〜５ｍｌ加え、更に現像スリーブ上から採取した測定試料を２〜２０ｍｇ加え懸濁溶液とする。試料を懸濁した溶液は超音波分散器で約１分間分散処理を行ない均一に分散された後、前記ＦＰＩＡ２１００に約５ｍｌ供給されて測定が行われる。評価の基準としてはＦＰＩＡ２１００における粒度クラス４と５（個数平均径１０〜４０μｍ）に分類されたトナー粒子中で直鎖状に連なったトナー凝集の割合を求め、本測定を３回行った平均値より判断した。
【０１１３】
大：磁気凝集の存在比率が２０％を越える
中：磁気凝集の存在比率が１０〜２０％
小：磁気凝集の存在比率が１０％以下
無：磁気凝集が存在しない
磁気凝集評価は、印字テスト５０００枚印字後に行った。印字テストは、画像比率５％の横線の記録画像を１枚ずつ間欠的に通紙して行った。
【０１１４】
ａ−２）磁気凝集の要因
本発明において磁気凝集とは磁場によって発生し、一度発生すると外部磁場の存在しない状況でも解れない凝集を示す。一般的にトナーは非磁性でも耐久時に現像装置から受ける負荷によって離型性が低下し、現像装置中に凝集塊が形成される事で一成分現像装置におけるスジ等のコート不良を生じる事が知られているが、磁気によるトナー凝集は、磁気分極により支配的に発生するためトナーが直鎖状に凝集して他の凝集と区別する事が可能である。また本発明における磁気凝集はトナー中に含まれる磁性体の磁気特性（残留磁化）と、外部磁場によってのみ発生するだけでなく、そこに外部から圧力が加えられるとより促進されるということが判明した。これは磁性体における磁気特性の圧力依存によるものと考えられる。
【０１１５】
ｂ−１）カブリ評価
カブリとは、本来印字しない白部（未露光部）においてトナーがわずかに現像され地汚れのように現れる画像不良のことである。
【０１１６】
カブリ量は光学反射率測定機（東京電飾製ＴＣ−６ＤＳ）によりグリーンフィルタによる光学反射率を測定し、記録紙のみの反射率から差し引いてカブリ分の反射率量をもとめカブリ量として評価した。カブリ量は記録紙上を１０点以上測定しその平均値を求めた。
【０１１７】
×：カブリ量が２％を越える
△：カブリ量が１〜２％である
○：カブリ量が０．５〜１％である
◎：カブリ量が０．５％未満である
カブリ評価は５０枚印字後と５０００枚印字後に行った。印字テストは、画像比率２％の横線の記録画像を１枚ずつ間欠的に通紙して行った。また、以降述べる他の画像欠陥が生じた場合は、その個所を避けて測定し、カブリを純粋に評価できるよう配慮した。
【０１１８】
ｃ―１）  印字テストを繰り返すことにより、現像装置内に蓄えたトナーが減少し、横線の評価画像が徐々に薄くなり、場合によっては途切れる。印字テストにおいて、先のような横線画像の不良が生じたときに、カブリ評価を行うとともに、その後現像装置を記録装置から取り外し、手振りするなど中のトナーを現像スリーブあるいは現像ローラに送る動作を行い、再度装置に装着し、カブリ評価を行う。これらの、画像評価で、前述と同様のカブリ評価を行い、最も悪い（大きな）結果を用い、本評価のカブリ評価とする。
【０１１９】
ｃ−２）耐久時カブリ要因
非磁性トナーの現像ローラへの供給はスポンジ状の供給ローラを現像ローラにカウンター回転になるように当接することで行われる。従って、この現像ローラと供給ローラの摺接により著しくトナーの劣化が発生し電荷付与性の低下が生じる。これにより印字枚数（特に低印字）が増えるとカブリ量が増加する。
【０１２０】
さらに、このようなトナーの供給機構では、現像ローラ周辺でほとんどトナーが入れ替わらず循環しない領域ができ、劣化の少ないトナーが存在する。一方、循環しているトナーは一定の劣化が生じている。トナー切れ時にカートリッジを取り外し手振りすると現像容装置内でこのような劣化の少ないトナーと一定の劣化が生じたトナーが混合される、すなわち、電荷付与の極性が大きく異なるトナーが混合されるため、カブリ量が著しく増加する。
【０１２１】
このカブリ量が増加する理由として、このようなトナーの混合においてトナーに電荷付与を行うと、劣化していないトナーはより電荷付与性が高くなり、劣化したトナーは電荷付与がほとんどできないあるいは正規の極性と逆極性の電荷を付与することになる。この電荷付与ができないあるいは逆極性の電荷を付与したトナーによりカブリ量が著しく増加する。
【０１２２】
逆極性のトナーがカブリ量として生じる理由は電場中で受ける力が正規極性のトナーと全く逆方向であり、ドラム表面上の通常非印字領域に積極的に転移するためである。
【０１２３】
これに対し磁性トナーの場合、磁力により搬送されるため、著しくトナー劣化が生じずトナー切れ直前でカートリッジの手振りを行っても極性の大きく異なるトナーが混合しないため、トナー切れ直前のカブリ量増加を防止することができる。
【０１２４】
ただし磁性トナーでは耐久後半に前述の磁気凝集が発生することがあり、磁気凝集により一定レベル以下まで帯電性が低下したトナーは接触現像により感光ドラムと接触するとカブリとして画質を低下させる。
【０１２５】
特に実施形態２のクリーナーレス時においてはカブリとなったトナーが帯電ローラに付着して、帯電を阻害し、画像不良を発生しやすい。さらに磁気凝集したトナーは帯電ローラから剥がれにくく、帯電ローラ上に蓄積した際に、帯電ローラの汚れにより全く帯電できなくなり全面黒画像を発生する虞がある。
【０１２６】
ｄ−１）ヘアライン均一性
画像評価は縦、横の１ドットラインの連続性で行った。各例のプリンタにおいて６００ｄｐｉレーザスキャナを使用し画像記録を行った。プロセス進行方向に平行な１ドットのラインと、レーザ走査系の主走査方向と平行な１ドットライン各々について行った。それぞれ、２ｃｍ長のヘアラインを、各例の装置において出力し、それぞれのラインについて、無作為に１００ポイント抽出し、それぞれのポイントでラインを中心とする２００μｍ四方を光学顕微鏡で観察し、ラインの濃度の半値巾を持って、ライン巾とし、それぞれの方向についてライン巾の標準偏差を計算する。そして、プロセス方向のライン標準偏差をσｖ、レーザ走査方向標準偏差σｈとして、両者の比を計算して、ライン標準偏差比σｖ／σｈを得る。この値を用いて以下の基準で評価を行った。
【０１２７】
××：ライン標準偏差比σｖ／σｈが０．７未満あるいは１．４３を超え、かつ、
目視により１ドットラインの途切れが判別できる
×：ライン標準偏差比σｖ／σｈが０．７未満あるいは１．４３を超え。
【０１２８】
△：ライン標準偏差比σｖ／σｈが０．７以上、０．８未満あるいは１．２５以上、
１．４３以下である
○：ライン標準偏差比σｖ／σｈが０．８以上、１．２５未満である
評価は初期５０枚印字後と５０００枚印字後に行った。印字テストは、画像比率２％の横線の記録画像を１枚ずつ間欠的に通紙して行った。
【０１２９】
ｄ−２）ヘアライン均一性の低下要因
磁性非接触現像においては、ヘアラインの均一性が、縦横で異なるという問題がある。磁気穂が感光ドラム進行方向と並行に移動しながら現像するときは、ヘアラインの均一性が良く、それと直行する方向は途切れがちになる。
【０１３０】
ｅ−１）画像エッジ不良
画像エッジ不良とは、大きな濃度を持った画像においてその２つの濃度差の境界が薄くなる画像不良である。
【０１３１】
画像評価は中間調画像中に２５ｍｍ四方のベタ黒画像を印字して行った。本評価において中間調画像とは主走査方向に対しての１ドットを記録し、その後４ドットを非記録し、主走査方向に垂直な方向に対して１ドットを記録し、その後４ドットを非記録し斑点模様を意味し、全体として中間調の濃度を表現している。得られた画像の中間調とベタ黒のエッジ部分において、エッジ部分の中間調側を、光学顕微鏡を用いて凝集したトナーの１ドット内におけるトナーの個数を測定し、さらに、エッジ部から十分離れた位置での中間調画像部について同様に１ドット内のトナー数を測定した。１ドット内のトナー数の測定においてドットは各領域において、ランダムに１５個ずつ抽出し、トナー数の平均値をもとめ、１ドット内のトナー個数とした。
【０１３２】
×：エッジでの測定数がエッジ部から十分離れた位置での測定数の６０％以下である
○：エッジでの測定数がエッジ部から十分離れた位置での測定数の６０％以上である
評価は画像比率２％の横線の画像を初期１００枚印字後に行った。
【０１３３】
ｅ−２）画像エッジ不良の発生要因
画像エッジ不良要因について図９を用いて考察する。ＡＣ電圧のＶｐｐ値を大きくすると、トナーの飛翔により現像される領域でトナーの行き来が起こる。このとき、図９に示すように、濃度差の大きな印字領域が存在すると、境界線付近でトナーが往復すると、トナーがより濃度の濃い印字領域に引き寄せられ、境界部における濃度の薄い方の領域がより薄くなると考えられる。
【０１３４】
ｆ―１）ベタ黒均一性評価
実施形態１において、全面に黒を印字するベタ黒画像を出力し、マクベス社製濃度計ＲＤ−１２５５により光学反射濃度を測定する。以下の基準により評価を行う。
【０１３５】
ベタ黒画像における先端・中央・後端における光学反射濃度を長手方向に３点ずつ計９点の測定を行い、その中の最高濃度と最低濃度の差により評価した。
【０１３６】
×：０．２以上
△：０．１以上０．２未満
○：０．１未満
評価環境は、３２．５℃、８０％Ｒｈにおいて行った。評価は画像比率２％の横線画像を５０枚印字後２４時間経過した後ベタ黒画像を３枚出力して行った。画像評価ではこの３枚の中で最も大きな値で代表した。
【０１３７】
ｆ−２）ベタ黒均一性の低下要因
現像効率が高く、剥ぎ取り供給ローラを持たない本発明の現像装置では、黒印字後のほとんどトナーが存在しない現像スリーブ上に、十分なトナー量を磁力により迅速に供給する必要がある。また規制ブレードをバイアスにより現像スリーブよりもトナーと同極性側に高い電位と設定すると、逆極性トナーや低帯電量トナーが電気的に規制ブレードに剥ぎ取られやすくなり、規制後のトナーコート量が減少、不均一となりやすいため、規制ブレード上流側にある程度均一に帯電したトナーを十分供給する必要がある。
【０１３８】
ｇ−１）ゴースト
現像剤の供給剥ぎ取り性を現像ゴーストにより評価した。現像ローラあるいは現像スリーブの周速度とプロセススピードを考慮して、現像ローラあるいは現像スリーブ周期で現れるゴースト画像を評価した。具体的にゴーストは紙先端で５ｍｍ四方、２５ｍｍ四方のベタ黒のパッチ画像を印字した中間調画像中の現像ローラあるいは現像スリーブ周期１周目に現れる濃度差を目視で認識できる場合にゴーストによる画像不良と判断した。各例のプリンタにおいて６００ｄｐｉレーザスキャナを使用し画像記録を行った。本評価において中間調画像とは主走査方向の１ラインを記録し、その後４ラインを非記録とする縞模様を意味し、全体として中間調の濃度を表現している。ここでは、その画像評価を以下の基準で行った。
【０１３９】
×：両方のパッチにおいてゴーストが認識される
△：いずれかのパッチにおいてゴーストが認識される
○：何れのパッチにおいてもゴーストが認識されない
評価は画像比率２％の横線の記録画像を初期５０枚印字後に行った。
【０１４０】
ｇ−２）ゴースト発生要因
感光体と現像スリーブを押圧してなり、剥ぎ取り供給ローラを持たない本発明の現像装置では、弾性スリーブ上において、前周回にトナーを消費した部分には、新たなトナーが供給され規制部に搬送されるが、ベタ黒を印字中は、コート量の約９０％以上のトナーが消費される。消費した部分は、消費されずに残ったトナーに対し新たに供給されたトナーの比率が高い状態で弾性スリーブ上に供給され、規制部に搬送される。一方、前周回にトナーを消費しなかった部分ではその弾性スリーブ上のトナーがそのまま供給部に戻るため、消費されずに残ったトナーに対し、新たに供給されたトナーの比率が低い状態で弾性スリーブ上に供給され、規制部に搬送される。つまり、規制部に搬送されるトナーは、前周回でトナー消費の履歴による新旧トナーの比率に差を生じる。トナー層の上の層と下の層の入替わりすなわち剥ぎ取り供給が十分に行うことができない場合、均一な中間調画像中に前周回のトナー消費の履歴を反映したゴースト画像不良を生じる。
【０１４１】
ｈ−１）エッジ部ゴースト
ゴースト同様に紙先端で５ｍｍ四方、２５ｍｍ四方のベタ黒のパッチ画像を印字した中間調画像により評価した。現像ローラあるいは現像スリーブ周期２周目における１周目ベタ黒印字部の境界部に、直線状に現れる濃度差を目視で認識できる場合にエッジ部ゴーストによる画像不良と判断した。中間調画像とは主走査方向の６００ｄｐｉ１ラインを記録し、その後４ラインを非記録とする縞模様を意味し、全体として中間調の濃度を表現している。画像評価は以下の基準で行った。
【０１４２】
×：両方のパッチにおいてエッジ部ゴーストが認識される
△：いずれかのパッチにおいてエッジ部ゴーストが認識される
○：何れのパッチにおいてもエッジ部ゴーストが認識されない
評価は画像比率２％の横線の記録画像を５０枚プリント後に行った。
【０１４３】
ｈ−２）エッジ部ゴーストの発生要因
ゴースト画像の中でも画像のエッジ部は他の部分とは異なるゴーストとして発生しやすい。以下、図５を用いて説明する。ゴーストの評価画像として四角いベタ黒のパッチ画像（Ｉ）を現像スリーブ１周目（Ｄ１）、中間調画像（ＨＴ）を現像スリーブ周期２周目（Ｄ２）に形成した場合、通常のゴーストがスリーブ周期２周目にハーフトーン濃度差として同等の四角パッチ形状として（Ｇ）形成されるのに対して、エッジ部ゴースト（ＥＧ）はゴーストＧの上下端のいずれかもしくは両方に直線状に形成される。
【０１４４】
この画像不良はエッジ部の中でも感光ドラム回転方向における上下流のエッジ部にのみ発生する現象である事から、本発明における現像装置が接触現像を用いており、感光ドラムとの当接ニップ（現像ニップ）やニップ上流におけるトナー溜まりの状態が出力画像によって変化するためと考えられる。
【０１４５】
画像比率が大きく異なる、例えば白画像→黒画像の境界においては、ニップ上流におけるトナー量が若干増加するのに対して、黒画像→白画像の境界においては、ニップ上流におけるトナー量が若干減少する。したがってエッジ部に於いては現像ニップにおける実質的なトナー量や帯電量が変化しやすく、現像効率も変わりやすい。もともと現像効率が高い上に剥ぎ取り供給ローラを持たない本発明の現像装置では、弾性スリーブ上において、前周回における局所的な現像効率の差が、次周回における規制部の新旧トナーの比率差として生じやすい。そのような規制部における局所的な新旧トナー比率差が均一な中間調画像中にエッジ部ゴースト画像不良として生じるものと考えられる。
【０１４６】
次に、クリーナーレスシステムである実施形態２による、各種画像評価について説明する。
【０１４７】
ｊ−１）クリーナーレストナー回収性
記録画像先端において、３０〜５０ｍｍほどのベタ黒画像を印字し、その後ベタ白画像を配置した評価パターンを印字中に、画像記録装置を停止する。停止するタイミングは、先端のベタ黒画像の中心位置がちょうど現像領域に達した時点とする。そして、現像の前後の感光ドラム上において、表面に付着したトナーを反射率として測定し、その比を求めることにより、トナーの回収効率の評価を行うことが可能になる。実際には、ドラム上のトナーを一旦透明性のテープに転写し、トナーが付着したテープを記録紙などに貼り付け、テープの上からカブリ測定同様にトナーの正味の反射率を測定する。
【０１４８】
×：回収率が３０％未満である
△：３０以上、５０％未満である
○：５０％以上である
評価は画像比率２％の横線の記録画像を初期１００枚時に行った。
【０１４９】
ｊ−２）クリーナーレストナー回収性低下要因
実施形態２において最も異なる点は、ドラムクリーナーを廃し、転写残りトナーを現像装置に回収してリサイクルするところにある。本発明においては、現像剤担持体は所定の加圧により感光ドラムに押圧され、現像バイアスが印加されており、ドラム表面上に形成された静電潜像をトナーにより現像（可視化）すると同時に非露光部（白地部）上の転写残りトナーを回収する。図１０に示すように現像バイアスと印字部の電位（ベタ黒のときＶｌ）との電位差を利用してトナー担持体から感光ドラムへトナーを転移させ反転現像を行い、現像バイアスと非印字部の電位（Ｖｄ）の電位差を利用して感光ドラム上の戻りトナーをトナー担持体上へ転移させて回収する。
【０１５０】
さらに、押圧し当接することでドラムとトナー担持体の距離が小さくなり電界強度が増加することで現像同時回収性を向上させている。
【０１５１】
加えて、押圧し当接することで現像ニップの増加による電界による現像および回収を確実に行うとともに、トナー担持体での戻りトナーのネガ化を促進、戻りトナーの物理的ほぐしを行い、回収性を向上させている。
【０１５２】
一方、感光ドラムとトナー担持体が非接触で対向していると距離が大きくなるため磁気回収力、電気的回収力が弱くなる。このために回収率が低下する。
【０１５３】
また、感光ドラムとトナー担持体が押圧し当接していると物体が接することにより働く引力・ファンデル・ワールス力はドラムとトナー、トナーとトナー担持体、トナーとトナー間においてほぼ同じオーダーの力が働くことから回収性の低下要因とならない。ところが、ドラムとトナー担持体が非接触のときにはドラムと戻りトナー間にのみ働きドラム上から引き剥がすために妨げとなり、回収性が著しく低下する。
【０１５４】
ｋ−１）中間調画像欠陥
画像評価は中間調画像を出力した際の画像欠陥数から評価を行った。各例のプリンタにおいて６００ｄｐｉレーザスキャナを使用し画像記録を行った。本評価において中間調画像とは主走査方向の１ラインを記録し、その後２ラインを非記録とする縞模様を意味し、全体として中間調の濃度を表現している。
【０１５５】
特に本発明では中間調画像の均一性を重視し、０．３ｍｍ以上の白点あるいは黒点の欠陥を評価した。
【０１５６】
×：中間調画像中に直径０．３ｍｍ以上の白点又は黒点が５点を越えて存在する
△：中間調画像中に直径０．３ｍｍ以上の白点又は黒点が１〜５点存在する
○：中間調画像中に直径０．３ｍｍ以上の白点又は黒点が存在しない
評価は画像比率２％の横線の記録画像を５０００枚の印字テスト後に行った。
【０１５７】
ｋ−２）中間調画像不良の発生要因
トナーの凝集塊の発生や異物の混入により、コート層を乱すために、凝集塊や異物程度の大きさの欠陥を中間調画像中に生じる。
【０１５８】
実施形態２であるクリーナーレスシステムにおいては、戻りトナーの回収をするため、中間調画像欠陥を生じやすい。特に、非磁性接触現像のように、供給ローラが現像ローラに当接し、カウンター回転している場合、当接部において、物理的ストレスが高くなる。そのような構成を用いると戻りトナーや劣化トナーにより、凝集塊を生じやすく、顕著に中間調画像欠陥を生じやすい。
【０１５９】
ｌ−１）紙粉による中間調画像欠陥
実施形態２においては、記録紙から紙粉（紙繊維）が感光ドラムに付着し、帯電を経由し現像装置に取り込まれることがある。現像装置に取り込まれた場合、弾性ローラなど紙粉が絡み弾性ローラ周期のプロセス進行方向に伸びた画像不良を生じることがある。これを、ｋ）項の中間調画像欠陥とは区別して評価を行った。
【０１６０】
短軸長さ０．３ｍｍ以上、長軸長さ２ｍｍ以上を画像不良とし、面内の欠陥数を以下の基準で評価を行った。
【０１６１】
×：中間調画像中に欠陥が５点を越えて存在する
△：中間調画像中に欠陥が１〜５点存在する
○：中間調画像中に存在しない
評価は画像比率２％の横線の記録画像を５０００枚の印字テスト後に行った。
【０１６２】
ｌ−２）紙粉による中間調画像欠陥の発生要因
戻りトナーに含まれる紙粉が現像装置内に混入すると現像ローラにトナーを供給するスポンジ状の供給ローラに紙粉が付着し、剥ぎ取り供給性の低下を生じる。紙粉が供給ローラ間に蓄積した場合、現像ローラ上のトナー層が乱され、プロセス方向にのびた欠陥を生じる。
【０１６３】
ｍ−１）ベタ黒画像欠陥阻害
画像評価はベタ黒画像を出力して画像の欠陥数から評価を行った。特に本発明では、０．３ｍｍ以上の欠陥を評価した。
【０１６４】
×：ベタ黒画像中に直径０．３ｍｍ以上の白点が５０点を越えて存在する
△：ベタ黒画像中に直径０．３ｍｍ以上の白点が１０〜５０点存在する
○：ベタ黒画像中に直径０．３ｍｍ以上の白点が１０点未満存在する
評価環境は、３２．５℃、８０％Ｒｈにおいて行った。評価は画像比率５％の横線の記録画像を１００枚印字後２４時間経過した後ベタ黒画像を３枚出力して行った。画像評価ではこの３枚の中で最も多いページで代表した。
【０１６５】
ｍ−２）ベタ黒画像欠陥の発生要因
図１１のように、ＡＣ電圧印加時、ベタ白を現像中に感光ドラムの表面電位（暗電位Ｖｄ）と現像バイアス電圧値の最大値（Ｖｍａｘ）の差が最大の電界強度となり、リークＬ３が発生しやすい状態となる。
【０１６６】
リークＬ３が起こると当該部分の感光ドラム１の静電潜像が乱された結果、感光ドラム１上のベタ白部の電位（暗電位Ｖｄ）の一部がリークにより明電位（Ｖｌ）に近づくあるいは超えるため、反転現像による感光ドラム１へのトナーｔが転移してしまい、結果として感光ドラム１の当該部分にはトナーが付着し黒ポチの画像が発生すると考えられる。
【０１６７】
リークが発生すると電界強度にかかわらず感光ドラム上にＶｍａｘの値で帯電された部分ができる。Ｖｍａｘが大きいと現像バイアスのＤＣ値Ｖｄｃに対するコントラスト（｜Ｖｍａｘ−Ｖｄｃ｜）が大きいためトナーの転移量が増加し画像上非常に目立つ。
【０１６８】
さらに、戻りトナーに含まれる紙粉がトナーとともに現像領域にくる（図１１（ａ））と紙粉を伝ってリークが発生する。図１１（ａ）に示すように紙粉Ｆが現像領域にきたとき、ドラムとのギャップがＧ３より小さいＧ４となる。このとき、紙粉にかかる局所的な電界強度が増加（図１１（ｂ）右）し、リークが発生しやすくなる。また、高温高湿な環境下において紙粉は水分を多く吸着し抵抗が低下する。このとき、図１１（ｃ）に示すように外部電場Ｅがかかると電荷の偏りが発生し、紙粉先端に電荷量が増加しさらにリークしやすくなる。このことから、クリーナーレスシステムではクリーナー付きのシステムと比べてリークが発生しやすくなると考えられる。
【０１６９】
【表１】
2006301109.tif 000004
【０１７０】
【表２】
2006301109.tif 000005
【０１７１】
（従来技術に対する優位性）
はじめに、本発明における磁性接触現像方式と、従来技術である磁性非接触現像方式ならびに非磁性接触現像方式に相当する比較例に対する優位性を示す。（表１）
（１−１）磁性非接触現像方式との比較（比較例４，５）
磁性非接触現像方式である比較例４の現像装置は実施形態１においては、ヘアライン均一性の低下や画像エッジ不良を生じる。これは、比較例４が磁場による磁気穂を形成して現像することにより、穂の移動方向であるかどうかにより、現像時のヘアラインの均一性に差が生じやすくなる。また、スリーブ−ドラム間距離が大きくＡＣ電界により、画像部非画像部を問わずトナーが飛翔する結果、画像のエッジ部分にはトナーがはきよせられエッジ部と中央部に濃度差を生じる。
【０１７２】
また、表１における実施形態２によるクリーナーレスの評価においては、トナー回収性が著しく低下していることがわかる。これは、非接触現像方式であるために、ドラムに接触したトナーを引き剥がす力が小さく、回収のために働く力が不十分なためであると考えられる。
【０１７３】
また、ベタ黒画像欠陥を生じた。通常の状態では現像バイアスによるリークが生じることはないが、高温高湿環境下で、紙粉などの異物が現像スリーブとドラムの間に入り込むと、それを経路としてリークが発生していることが確認された。
【０１７４】
（１−２）非磁性接触現像方式との比較（比較例７）
次に、非磁性接触現像方式である比較例７の現像装置について述べる。実施形態１においては、カブリの耐久劣化を生じる。これは、弾性ローラによる供給剥ぎ取り動作によりトナーが機械的ストレスを受け、トナー帯電特性が低下することに起因する。また、このときトナー劣化による濃度低下も見られる。更に、現像装置内のトナーが減少したときには、上記劣化トナーと循環に関与していなかった未劣化トナーが混合され著しくトナー帯電特性を低下させ、激しいカブリを生じる。一方、実施形態２によるクリーナーレス評価においては回収性が良好であるが、弾性ローラに起因すると思われる中間調画像欠陥が生じる。実施形態２においては、弾性ローラによる機械的ストレスの他に、一旦現像されたトナーが転写や帯電の工程を経て再度現像装置内に戻ってくることにより、より多くの劣化トナーを生み、トナーが凝集塊を作るなどして、中間調画像に欠陥を生じる。さらに、現像装置に混入した紙粉による弊害も大きく、弾性ローラ表面に付着して周期的な画像不良を生じる。
【０１７５】
（１−３）従来技術に対し、本発明の有利な効果
（１−３ａ）実施形態１
一方、実施例１の現像装置は、実施形態１、２いずれにおいても良好な画像形成装置を構成できる。では、実施形態１について、比較する。
【０１７６】
実施例１の現像装置においては、先に比較例４で問題となったヘアライン均一性は方向による差がなく均一な画像再現が可能であった。現像部における磁力についてはほぼ同程度であるが、トナーの平均円形度を高くしてトナーの流動性が高くすることでトナーの磁気穂を低い状態にする事が出来、さらに現像スリーブには大きなＡＣ電圧を印加することなくＤＣバイアスにより現像を行うため、同様の磁場においてでもさらに磁気穂の形成が抑制され、現像時の磁気穂の影響をなくすことが可能となった。したがって忠実な潜像再現により比較例４，５と比べて中間調の高い再現性も実現できるようになった。
【０１７７】
また弾性スリーブを感光ドラムに接触させＤＣ現像とすることにより、トナーの往復により、トナーがはきよせられるのを防止したため画像エッジ不良もなく均一な画像再現が可能となった。
【０１７８】
また、本実施例においては、比較例７で問題となった、カブリの耐久劣化は見られなかった。比較例７ではトナーの剥ぎ取り供給のための弾性ローラを使用しており、弾性ローラと現像ローラの圧接部において局所的に高い圧力が生じる。一方、本例では剥ぎ取り供給ローラを使用せず、トナーの搬送については磁力をもって行っている。磁力による搬送はトナーに対する機械的ストレスを少ない状態にして、現像スリーブ上のトナー剥ぎ取りと供給が行え、さらに弾性ローラと比較し非接触で力が及ぶためトナーを循環する範囲や効率の点で優れている。よって、トナーにストレスをかけることなく、トナーの剥ぎ取り供給が行えゴーストなどの弊害もなくトナー搬送を行うことが可能となる。また、同様にして、トナー凝集塊を発生することもない。
【０１７９】
３ｂ）実施形態２
次に、実施例１について実施形態２における評価を行う。
【０１８０】
弾性スリーブと感光ドラムを接触して配置しているので、弾性スリーブと感光ドラム間距離が近づくことで電界あるいは磁界が働く領域および強度が増加し、感光ドラム上の未露光部に付着した転写残りトナーの回収性が向上したと考えられ、トナーの回収性もよく、更に、比較例６でみられた中間調画像欠陥や紙粉の影響も弾性ローラをなくした磁力による搬送を行っているため良好な結果であった。また、比較例４、５で見られたベタ黒画像欠陥も見られなかった。電界としては大きな電界が印加されるが、放電を生じるような大きな電位差が生じないためと考えられる。
【０１８１】
（比較例に対する優位性）
次に各比較例に対する本実施例の優位性について説明を行う。
【０１８２】
（１−４）比較例６との比較
比較例６のように、多極マグネットを用いた回転磁力による供給や剥ぎ取りも考えられるが、結果的にはゴースト性能が劣る結果となった。また、規制部及び現像部において磁力が振動するため、若干カブリとクリーナーレス回収性も悪い結果となった。多極マグネットにより磁力が多少弱くなるが磁気穂による影響は依然あり、ヘアライン均一性は劣っている。一方、接触ＤＣ現像を用いているため、画像エッジ不良は感光体との接触により良くなっている。
【０１８３】
（１−６）次に実施形態１について詳細に述べる。
【０１８４】
６ａ）磁気凝集評価
前記評価条件に則り磁気凝集量を評価したところ実施例１〜３、比較例１では耐久により磁気凝集量は殆ど増加しなかったのに対して比較例２では若干磁気凝集量が増加していた。これはブレード当接位置における径方向の磁界Ｂｒの影響と思われ、当接位置が極間である実施例１〜３と比較して当接位置が極位置である比較例２においては、当接圧を与えつつ磁界Ｂｒが与えられるため、トナーの磁化が促進され磁気凝集が起こりやすくなるためと思われる。
【０１８５】
したがって極間によるトナー規制がなされている比較例１，３では耐久により磁気凝集量は殆ど増加しなかった
比較例４，５はブレード圧が低いため磁気凝集量が少なめだった。ただし極位置で規制ブレードが当接している比較例５については磁気凝集が若干増加していた。
【０１８６】
一方の比較例６は回転マグネットのため、磁極位置に存在したトナーが規制部を通ることで磁気凝集量が増加したと思われる。
【０１８７】
なお、比較例７においては非磁性トナーを用いており、磁化の影響がないため同様の評価条件において磁気凝集は全く見られなかった。
【０１８８】
６ｂ，ｃ）カブリ評価
次にカブリの評価結果について説明する。実施例１におけるカブリは５０００枚耐久時、およびトナー切れ前後においてともに良好なレベルであった。
【０１８９】
これは実施例１においては平均円形度が０．９８という球形トナーを用いることで規制ブレードの取込部における良好なトナー循環が得られやすく、したがって規制ブレードの取込部の長さＬをＬ／（Ｒ×ｔａｎθｈ）＝０．９５となるようにして比較的長い距離においてトナーを挟持しても、一部のトナーが滞留して極度に劣化することもなく、耐久時においても安定したトナーコートが得られるようになったためと思われる。
【０１９０】
また実施例１において規制ブレードと現像スリーブの当接部における磁束密度は｜Ｂｒ｜／｜Ｂ｜＝０．２９であり、すなわち圧接時に印加される磁界が比較的弱い極間にて規制しているため磁気凝集の発生が少なくトナーの磁気凝集による耐久時のカブリを抑えることができる。
【０１９１】
さらに規制ブレードには現像スリーブに対して−１００Ｖというトナーと同極性のＤＣバイアスが印加されており、規制部においてはＤＣ電界によるトナーへの電荷付与を促進する。また、流動性の高い球形トナーにおいては取込部においてもＤＣ電界により逆極性帯電トナーや低帯電量トナーを現像スリーブ近傍から遠ざけることができ、耐久後の帯電性の低いトナーにおいても規制ブレード通過後の現像スリーブ上には均一かつ適正な帯電量を有したトナーをコートできる。
【０１９２】
したがって耐久時において少量ながらも磁気凝集が発生した際のトナー帯電量を向上することができ、カブリは安定して良好であった。またトナー切れ時においても、非磁性現像法における剥ぎ取り供給ローラ等が存在しないため機械的ストレスが少なく、耐久末期の劣化トナーと未劣化トナーの混合によるカブリの急激な悪化もなかった。
【０１９３】
実施例２，３は基本的な構成は実施例１と同様であるため、初期におけるカブリは共に良好であったが、耐久時においては共に若干カブリが増加した。これは実施例２においてはトナーの平均円形度が実施例１よりも低下しているためトナー本来の流動性が低く、耐久時における磁気凝集の増加によりトナーとしての流動性が更に低下すると、規制ブレードの取込部におけるトナーの循環が悪くなり本発明における取込部におけるトナーの均一な帯電性が得られ難くなるためと思われる。さらに円形度の低いトナーを用いた比較例１でも初期のカブリは良好であったが耐久によりさらに悪化した。
【０１９４】
一方の実施例３においてはトナーの平均円形度が高いにも関わらずカブリが若干増加した。これは実施例３においてはブレードバイアスが現像スリーブと等電位とされているため、ブレード当接部および取込部におけるトナー帯電の効果が薄まったため、磁気凝集したトナーにおいては比較的帯電量の低いトナーがコートされやすくなって若干のカブリが増加したものと思われる。
【０１９５】
さらに比較例２は耐久時における磁気凝集量の発生したが、球形トナーを用いているためブレードバイアスによりカブリは抑えられた。また比較例３は円形度が高く、磁気凝集の発生も少ないため耐久を通じてカブリは良好であった。
【０１９６】
非接触の剛体スリーブを用いた磁性一成分現像である比較例４、５においては初期および耐久後ともにカブリは良好であった。ここで比較例５においては極位置規制であり耐久により相当数の磁気凝集が発生しているにも関わらずカブリが良好であった事から鑑みると、現像スリーブと感光ドラムが非接触である際には、耐久によってトナーに磁気凝集が発生してもトナーの飛翔性が抑えられるためカブリは悪化しにくいものと思われる。一方の接触現像は磁気凝集が発生した際にドラムに付着しやすく、カブリとして画像不良に成りやすいと考えられる。
【０１９７】
多極マグネットを用いた比較例６においては極位置が回転するため、強い磁極が通過した際に圧接部近辺に存在するトナーが磁気凝集を発生しやすく、耐久によりカブリは増加した。  
【０１９８】
非磁性トナーを用いた比較例７では磁気凝集とは関係なく、剥ぎ取り供給ローラにおいて機械的ストレスによりトナーが劣化するため、トナー切れ時には劣化したトナーと比較的循環していなかった未劣化トナーとが混合されたときにカブリが急激に悪化した。
【０１９９】
６ｄ）ヘアライン均一性評価
ヘアライン均一性の評価結果について説明する。本発明における構成においては現像部における磁気穂を比較的短くすることが可能であり、且つ磁気凝集の発生を抑えることが出来るため、実施例１、３、比較例３において耐久を通じて良好な均一性を得る事が出来た。
【０２００】
ただし、トナーの円形度が低い実施例２，比較例１については耐久にともないヘアラインの均一性が低下した。また比較例２も耐久により磁気凝集が増加するとヘアライン均一性に低下が見られた。
【０２０１】
一方、非接触の剛体スリーブを用いた磁性一成分現像である比較例３では現像部において強い磁界が必要であるため、現像スリーブ上にトナーが長い磁気穂を形成するため、穂の移動方向に依存してヘアラインの均一性が変化してしまう。さらに耐久によってトナー間が磁気凝集により直線方向に付着しやすくなる比較例５においては磁気穂が長くなりやすく、ヘアラインの均一性はさらに悪化した。
【０２０２】
多極マグネットを用いた比較例６においては極位置が回転するため、強い極近辺に存在するトナーが積極的に長い磁気穂を形成してヘアライン均一性を低下する。
【０２０３】
一方、比較例７は現像において磁気を用いない非磁性一成分現像法であり、磁気穂を形成する事がないため現像スリーブの周方向と長手方向で同等なヘアラインの均一性を示した。
【０２０４】
６ｅ）画像エッジ不良評価
現像スリーブと感光ドラムが非接触である比較例４、５では、スリーブドラム間距離が大きく潜像電位差のある画像エッジ部において現像電界がドラム面方向に鈍りやすい（いわゆるエッジ効果）。さらに大きなＡＣ電界により画像部非画像部を問わずトナーが飛翔する結果、画像のエッジ部分にトナーがはきよせられる。その結果画像エッジ部が濃くなり、中央部と濃度差を生じてしまう。
【０２０５】
一方、現像スリーブとドラムが接触している実施例１から３および他の比較例においては、現像電極であるスリーブを対向電極であるドラムと接触させることで大きな現像電界を生じることが可能であり、エッジ効果およびエッジ部へのトナーの掃きよせを低減できる。したがって画像エッジ不良の少ない良好な画像を得る事が出来た。
【０２０６】
６ｆ）ベタ黒均一性評価
ベタ黒均一性評価結果について述べる。まず本発明の現像装置においては、流動性の高い球形トナーを接触現像に用いることで現像効率が非常に高いため、十分なトナー量を迅速に現像スリーブ上に供給する必要がある。また球形トナーは離型性が高いため規制部において現像スリーブ上から剥ぎ取られやすく、さらに実施例１においては規制ブレードをバイアスにより現像スリーブよりもトナーと同極性側に高い電位としているため、逆極性トナーや低帯電量トナーが電界によっても剥ぎ取られやすいため、できるだけ均一に帯電したトナーを規制ブレード上流側に十分供給する必要がある。そこで実施例１から３ではブレードにおける取込部を比較的長く設けることで十分な空間を規制ブレード上流に確保するとともに、規制ブレードの取込部に磁極を配置することにより規制部に於いて剥ぎ取られて帯電量が増加したトナーを再度取込部へ循環させ、比較的帯電したトナーを再度現像スリーブへ供給し、均一なベタ黒画像を再現できた。
【０２０７】
すなわち、本発明におけるベタ黒均一性は規制ブレードの自由長とマグネットの磁極配置に依存しており、取込部に磁極を配置した実施例１では循環してきたトナーを取込部に保持することにより均一なベタ黒画像が得られた。
【０２０８】
一方、規制部および取込部を共に磁極間に配置した比較例３においては、ベタ黒均一性の低下が見られた。これは取込部において現像スリーブからトナーが剥ぎ取られやすい上、取込部にトナーが磁力によって保持されにくいため、現像スリーブ２周目以降の濃度が低下し、ベタ黒の均一性が低下したと思われる。
【０２０９】
比較例１は不定形トナーを用いているため、トナーの離型性が低く、ブレードバイアスを印加した際にもベタ黒の均一性については問題なかった。
【０２１０】
磁性非接触現像である比較例４、５においては、現像効率が低めであるため比較例１よりもベタ黒印字中におけるトナーコートが比較的安定しやすく、均一なベタ黒が得やすかった。
【０２１１】
また比較例６においてはマグネットが回転することにより、規制部、現像部の磁界が振動するため、若干のベタ黒均一性の低下が見られた。
【０２１２】
一方、非磁性接触現像である比較例７は、比較例１同様、高い現像効率をもっているものの、剥ぎ取り供給ローラにより規制ブレード上流のトナー状態を均一にしやすいので、良好なベタ黒均一性が得られた。
【０２１３】
６ｇ）ゴースト評価
次に、ゴーストの画像評価結果について述べる。ゴーストについては不定形トナーを用いた比較例１において軽微なポジゴースト（黒現像後の中間調濃度が上昇）が生じた。またブレード規制部と取込部が共に極間である比較例３においてはネガゴースト（黒現像後の中間調濃度が低下）を生じた。
【０２１４】
また、実施例３については磁気凝集量が少ないものの軽微なポジゴーストが発生した。これはブレードとスリーブを同電位としたために、他の実施例と異なり電界による逆極性トナーや低帯電量トナーの剥ぎ取りがなく、トナーコート量が増加しやすいためと思われる。
【０２１５】
一方、離型性の高い球形トナーを用いた実施例１、２についてはゴーストのない良好な画像形成が行われた。
【０２１６】
また、供給剥ぎ取りローラが配置されている比較例７、８についてもゴーストのない画像形成がなされた。
【０２１７】
ここで、ゴースト画像不良発生メカニズムについて述べる。感光体と現像スリーブを押圧してなり、剥ぎ取り供給ローラを持たない本発明の現像装置では、弾性スリーブ上において、前周回にトナーを消費した部分に新たなトナーが供給され規制部に搬送されるが、ベタ黒を印字中はコート量の約９０％以上のトナーが消費される。弾性スリーブ上のトナーを消費した（黒印字）部分には、消費されず残ったトナーに対し、新たに供給されたトナーの比率が高い状態で弾性スリーブ上に供給され規制部に搬送される。一方、前周回にトナーを消費しなかった（白印字）部分ではその弾性スリーブ上のトナーがほぼそのまま供給部に戻るため、消費されずに残ったトナーに対し、新たに供給されたトナーの比率が低い状態で弾性スリーブ上に供給され、規制部に搬送される。つまり、規制部に搬送されるトナーは前周回でトナー消費の履歴による新旧トナーの比率に差を生じる。ここで新旧トナーではブレード、ドラムの通過回数が異なるため、異なる帯電量や粒径を有する可能性があり、したがって新旧トナーの比率の差が中間調画像における異なる現像性となりゴースト画像を発生する。
【０２１８】
ここで、規制部を通過する直前及び通過中におけるトナー層の上層と下層の入替わりを十分に行う、すなわちスリーブ周回毎にトナーの適切な剥ぎ取りと供給を可能とすることができれば、新旧トナーに付与された電荷の分布を均一にすることができ、トナー消費の履歴にかかわらず、規制部を通過後に均一な電荷を付与したトナー層を形成し、ゴースト画像の現れない均一な中間調画像が得られる。一方、規制部を通過する直前および通過中におけるトナー層の上層と下層の入替わり、すなわち剥ぎ取りと供給が十分に行うことができない場合、均一な中間調にゴースト画像不良を生じる。
【０２１９】
本発明では球形トナーと取込部の長い規制ブレードを用いる事で、規制ブレード当接部上流側に密にトナーを充填して規制ブレード・現像スリーブとの摺擦を活発にし、またトナーにかかる磁力の変化量を大きくする事で取込部におけるトナー循環を活発にした。したがって取込部におけるトナーの摺擦・循環を促進する事で現像スリーブ上トナーの剥ぎ取り性・入れ替わり性が良くなり、現像スリーブ上の現像履歴（ゴースト）を低減できるになった。
【０２２０】
また、規制ブレードと磁極配置の関係を極間規制にすることで、規制部での磁気的拘束力を弱めることができ、新旧トナーの入れ代わり性すなわち剥ぎ取り供給性を向上させてゴースト画像不良を抑制できる。極間位置規制とすることで実施例１〜３はゴーストに対して有利な構成となっている。
【０２２１】
また、現像効率の低い非接触現像方式である比較例４においても極間規制は同様の効果があり、ゴーストのない均一な中間調を得た。一方の極位置規制である比較例５は同様な非接触現像方式でも軽微なポジゴーストが発生した。
【０２２２】
また黒現像時に大半の（約９０％）弾性スリーブ上トナーが消費される本発明における接触現像装置においては、消費されたトナー量を次の規制部通過時までに迅速且つ十分に供給する必要がある。磁極間にブレード取込部を配置した比較例３では規制ブレード近傍におけるＢｒ、すなわちスリーブ方向へ働く磁力が弱く、当接部までに十分なトナー供給が行われずに初期におけるネガゴーストが発生した。一方、実施例１から３ではブレード取込部に磁極をもってくることで十分なトナー供給を可能としている。
【０２２３】
加えて、ゴーストを防止するためには新たに供給されたトナーを適正な比電荷に到達させるための電荷付与の立ち上がり性も要求される。実施例１は規制ブレードに現像スリーブに対してトナーと同極性の電圧である−１００Ｖが印加されており、磁気凝集により帯電性が低下したトナーに対しても積極的にネガ帯電する事が可能となった。したがって耐久時における電荷付与の立ち上がり性を向上でき、少量の磁気凝集が発生してもゴーストのない均一な中間調画像が得られた。一方で実施例３においては規制ブレード電位が弾性スリーブと同電位とされており、印字画像のパターンによってはトナーの帯電性低下により新旧トナー間で帯電量差が生じやすく、軽微なポジゴーストが発生した。
【０２２４】
つまり、現像効率の高い本システムにおいて、ゴーストを改善するためには、トナーの良好な入替わり性（剥ぎ取り・供給）および均一な電荷付与性を向上させる必要があった。従って、本発明のシステムにおいては、まず剥ぎ取りに関しては離型性の高い球形トナーを用い、さらに好ましくは極間規制により磁気的な力を弱めることも有効であった。また供給に関しては規制ブレードにおける取込部を磁極幅に対して十分な長さとすることで、規制部上流に十分なトナー量を取り込む領域を設けると共にトナーにかかる磁力の変化量を大きくする事でトナーの循環を促進する。
【０２２５】
また、磁極を取込部に配置する事で、一度規制部において剥がされた比較的帯電しているトナーを再度現像スリーブに循環・供給することができるため、トナー消費の有無に依らず、規制ブレード通過後の適正な値、かつ、均一な電荷分布を有するトナー層を形成することができた。以上の理由により、本発明のシステムにおいてゴースト画像不良を抑制することが可能となった。
【０２２６】
１−６ｉ）エッジ部ゴースト評価
エッジ部ゴーストは局所的な現像効率差がトナーコートを乱していると考えられ、現像スリーブ上トナーのより均一な摩擦帯電が必要である。本発明では規制部においてブレードバイアスによりトナーの摩擦帯電を促進すると共に、取込部においても十分なトナー循環によりトナー帯電量の均一化を図っており、実施例１、２においてはエッジ部にもゴーストのない良好な画像が得られた。またエッジ部におけるゴーストは現像効率が高い球形のトナーほど顕著に出やすいため、本構成を取る事で不定形トナーを用いた比較例１においてもエッジ部ゴーストに関しては問題なかった。
【０２２７】
一方、比較例２では通常のゴーストは目立たなかったものの、エッジ部にのみポジゴーストが発生した。これは取込部が短く、取込部におけるトナーの磁力変化が小さかったため、本発明におけるトナー循環に伴う摩擦帯電の均一化が行われなかったためと思われる。
【０２２８】
また、実施例３と比較例３では通常のゴーストに加えてエッジ部にポジゴーストが発生した。これは実施例３にはブレードバイアスが印加されておらず、現像効率が高い部分におけるトナーへの摩擦帯電量が不十分であったためと考えられ、また比較例３においては取込部における磁束密度が不十分であったためトナー循環・摺擦不足による摩擦帯電均一性の低下が原因と考えられる。
【０２２９】
一方、現像効率が低めの非接触現像法を用いた比較例４，５および弾性ローラにより機械的に現像残トナーを剥ぎ取る比較例７ではエッジ部ゴーストは発生しなかった。
【０２３０】
また、現像効率が高めで取込部における磁力が不安定である比較例６においては若干のポジゴーストがエッジ部に見られた。
【０２３１】
つぎに、表２に基づき実施形態２について述べる。
【０２３２】
（１−６ｊ）クリーナーレス回収性
まず、非接触現像方式である比較例４，５においては、現像スリーブと感光ドラムの距離が大きくなるため、転写残として感光ドラム上に残ったトナーが再度現像部に戻ったもの、（以下、戻りトナーと呼ぶ）に対して磁気回収力、電気的回収力が弱くなるために回収率が低下した。その結果、高印字率画像印字後に画像不良が発生した。
【０２３３】
一方、感光ドラムとトナー担持体が接触している実施例および比較例１，２，３，６，７は接触現像であるために、現像スリーブと感光ドラム間における電界強度が大幅に増加した。したがって印字部の電位（ベタ黒のときＶｌ）と現像バイアスの電位差を利用してトナー担持体から感光ドラムへトナーを転移させ反転現像を行うと同時に、非印字部の電位（Ｖｄ）と現像バイアスの電位差を利用して感光ドラム上の転写残（戻りトナーをトナー担持体上へ転移させて回収できた。
【０２３４】
したがって転写残トナーが多い高印字率画像印字後においても、画像不良のない良好な画像が得られた。
【０２３５】
（１−６ｋ）中間調画像不良
まず、非磁性一成分現像である比較例７は、実施形態２であるクリーナーレスシステムにおいて戻りトナーの回収をするため、中間調画像欠陥を生じやすい。これは供給ローラが現像ローラに当接しておりトナーが受ける物理的ストレスが高く、そのような構成にクリーナーレスシステムを用いると戻りトナーや劣化トナーにより、凝集塊を生じやすい。したがって、比較例７はクリーナーレスシステムにおいて顕著に中間調画像欠陥を生じた。
また、非接触現像である比較例４，５においては、回収性が悪いため、比較的戻りトナーの影響が少なく、クリーナーレス時に戻りトナー起因のコート不良によるの中間調画像不良は発生しなかった。
【０２３６】
一方、本発明における実施例１，２，３に関しては接触現像であり、戻りトナーの影響は大きいものの、非磁性一成分現像のような剥ぎ取り供給ローラを用いていないため、トナーへの機械的ストレスを抑えることが可能である。さらに離型性の高い球形トナーを本構成により活発にトナー循環させて現像スリーブ上のトナーを入れ換える事が可能となるため、画像不良のない良好な中間調画像が得られた。
【０２３７】
（１−６ｌ）紙粉による中間調画像不良
まず、非磁性一成分現像である比較例７はスポンジ状の供給ローラを具備するため、クリーナーレス時において戻りトナーに含まれる紙粉が現像装置内に混入すると現像ローラにトナーを供給するスポンジ状の供給ローラに紙粉が付着し、剥ぎ取り供給性の低下を生じ、中間調画像不良を発生した。
【０２３８】
一方、非接触現像である比較例４，５においては、回収性が悪いため、比較的戻りトナーの影響が少ないと考えられるが、極位置規制である比較例５においては異物や戻りトナー、トナー凝集塊の影響により中間調画像において軽微の画像不良を生じた。この理由としては、剛体スリーブを用いておりトナーとスリーブ表面の鏡像力が高いためスリーブにトナーや異物が付着しやすく、特に入替わり性が悪い極位置規制である比較例５においては、少量の戻りトナーであっても中間調画像中に軽微の不良を生じたと思われる。
【０２３９】
ここで、本発明における実施例１，２，３に関しては接触現像であり、戻りトナーの影響は大きいものの、非磁性一成分現像のような剥ぎ取り供給ローラを用いていないため、スポンジ状の供給ローラ起因の画像不良は発生しない。また、スリーブが金属上に弾性層を有することにより鏡像力が低下するため、比較例４，５と比して入替わり性が向上する。したがって、戻りトナーに含まれる異物を核にしたトナー凝集塊の発生による中間調画像不良を抑制することができた。ただし、不定形トナーで規制ブレードの取込部に滞留しやすい比較例１においては若干の中間調画像不良が発生した。一方、実施例１，２，３ではブレード取込部に磁極を配置する事で積極的にトナー供給する事により、紙粉が取込まれても磁力によりトナーを優先して搬送するために非磁性トナーを用いた比較例７と比較して、クリーナーレス時における安定した中間調画像を再現できた。
【０２４０】
以上のことより、接触現像方式においては戻りトナーの回収性が高く、戻りトナーやそれに含まれる紙粉の影響が大きいため、非常に高い入替わり性が要求される。本発明のシステムである接触現像方式においては、ブレード取込部において磁極により十分なトナーを供給し、離型性の高い球形トナーを用いて効果的に剥ぎ取ること、および、現像スリーブが弾性層を有することで電気的な付着力を低下させることにより、高い入替わり性を実現することができる。その結果、多量の戻りトナーに対しても凝集塊の生成や紙粉が混入しても良好な中間調画像をえることができた。
【０２４１】
（１−６ｊ）ベタ黒画像欠陥
ベタ黒画像欠陥については、比較例４と５が非接触現像で現像バイアスに１．８ｋＶｐｐものＡＣ電圧を重畳しているために、高湿環境下において現像スリーブとドラム間に紙粉が存在した場合に、現像バイアスのリークが発生し、ベタ黒画像欠陥を生じた。一方、接触現像である実施例１から３、比較例１，２，３，６，７においては、紙粉よるリークもなく、ベタ黒画像欠陥のない良好なベタ黒画像をえた。
【０２４２】
（２）規制ブレードの自由長と磁極配置の関係
つぎに、実施例１を用いて本発明における規制ブレードの形状と磁極配置の関係について説明する。
【０２４３】
まず、図４は本発明における現像装置における規制ブレード６０ｃの構成であり、弾性層を有する現像スリーブ６０ａと当接する規制部Ｎと、規制部Ｎから現像スリーブ回転方向上流側に設けられた取込部Ｌより構成される。
【０２４４】
ここで、規制部Ｎはトナーを直接圧接し十分に摩擦帯電する部分であるため、適切な当接圧を規制ブレード長手方向にわたり均一に与える必要がある。本実施例では引き抜き圧で２０〜１００Ｎ／ｍとすることで適正なトナーコートが得られた。
【０２４５】
取込部Ｌは規制ブレードの上流側におけるトナーの循環を制御する。取込部Ｌは現像スリーブとの間に回転方向下流側に狭くなるくさび形状の空間を形成しており、ブレード端部からは十分なトナーの取込みを行うと共に、規制部Ｎにおいて分離された上層のトナーを再度現像スリーブに戻す事で、高印字率画像を現像した直後にも安定したトナー供給を可能とする。
【０２４６】
ここで、本発明における取込部のトナー循環の効果を得るためには、取込部Ｌにおけるトナーの磁力による供給と、好ましくは電界による選択を行う必要がある。そこで取込部の長さＬと磁極の半値幅θｈを用いた長さＲ×ｔａｎθｈの関係としては取込部の長さＬを長さＲ×ｔａｎθｈに長さに対して十分長くしトナーの摩擦帯電機会を増やすと共に磁界の変化に伴いトナー循環が活発化される。また取込部における磁束密度の最大値を大きくすることで取込部におけるトナーにかかる磁力の変化量を大きくし、効果的なトナー循環を形成する事が出来るようになった。また規制ブレードにトナーと同極性の電位を印加する事で取込部上流では磁界の効果、取込部下流（規制部近傍）ではブレードバイアスによる電界の効果がトナー循環に影響し、更に安定したトナー帯電を行うことが出来た。
【０２４７】
また、規制ブレード６０ｃの取込部を近接極であるＳβ近傍に設定する事で、磁力線が規制部から回転方向上流側に向けて形成される。したがって規制部において剥がされた現像スリーブ上層のトナーには磁力線によって取込部側へ戻る方向に磁力が生じるため、規制ブレード上流におけるトナー循環が促進される。このトナー循環によって低印字率時の連続的に供給されてきたトナーが規制部近傍へ滞留し、急激にトナー劣化、磁気凝集することを防ぐ効果があると思われる。
【０２４８】
また、規制ブレードの規制部Ｎを近接極であるＳβとＮαの極間（｜Ｂｒ｜／｜Ｂ｜＜０．５）に設定する事で、上記トナー循環の効果はより高められる。
【０２４９】
ここで、本発明における規制ブレードの当接部、離間部と、現像スリーブ内部に配置されたマグネットローラが形成する現像スリーブ表面における磁束密度分布について実施例１，４〜１１に比較例２、３および８〜１０を加えて表３により説明を行う。
【０２５０】
実施例４，５，６，７，８、９，１０，１１
本実施例は実施例１の現像装置６０Ａに基本的に準ずるが、以下の点において異なる。
【０２５１】
規制ブレードの設定において、ブレード自由長を６．２、４．２，９．３、４．６、４．２、３．６、８．７，２．５ｍｍとする。このときＬ／（Ｒ×ｔａｎθｈ）は各々０．７５，０．５１，１．１２，０．５５，０．５，０．４４、１．０５，０．３１であった。
【０２５２】
図３において、規制ブレードの当接位置θを５３，５３，５３，５５，５８，３９，６９，４０度とする。この際の規制部における｜Ｂｒ｜／｜Ｂ｜は、０．４８，０．４，０．４８，０．５８，０．６３，０．０７，０．８５，０．０３となる。またこの際の取込部における｜Ｂｒ｜／｜Ｂ｜の最大値は０．９２，０．７２，１，０．６８，０．５１，０．９２，０．８２，０．７３であった。なお取込部における磁束密度は自由端と現像スリーブ中心を結んだ直線と現像スリーブ表面の交点から規制部において図３における最大の磁束密度を用いた。
【０２５３】
比較例８，９，１０
本実施例は実施例１の現像装置６０Ａに基本的に準ずるが、以下の点において異なる。
【０２５４】
規制ブレードの設定において、ブレード自由長を１１、０．９、２．１ｍｍとする。このときＬ／（Ｒ×ｔａｎθｈ）は各々１．３２，０．１，０．２５であった。また図３において、規制ブレードの当接位置θを６９，３３，３３度とする。この際の規制部｜Ｂｒ｜／｜Ｂ｜は、０．８５，０．３，０．２４となる。またこの際の取込部｜Ｂｒ｜／｜Ｂ｜の最大値は０．９２，０．５５，０．８であった。
【０２５５】
【表３】
2006301109.tif 000006
【０２５６】
以下では、規制ブレードの自由長、弾性スリーブへの当接位置と磁極の関係の範囲において本発明の優位性を示す。具体的には、実施例１〜１１、比較例２、３および８〜１０について説明する。
【０２５７】
（２−１）エッジ部ゴースト
はじめに、エッジ部ゴーストの評価結果を図１２に示す。図１２は取込部における径方向の磁束密度比（｜Ｂｒ｜／｜Ｂ｜）と、規制ブレードの自由長Ｌと現像スリーブ径Ｒ、規制ブレードの自由端の最近接磁極の半値幅θｈの正接ｔａｎθｈを用いて表したＬ／（Ｒ×ｔａｎθｈ）との関係を表記してある。
【０２５８】
比較例２，９，１０に関してはＬ／（Ｒ×ｔａｎθｈ）が０．３以下と小さめであり、まず自由長が短いことにより取込部における摩擦帯電機会が少なめで、また取込部における磁界の変化量も小さいためトナー循環も弱くなる。したがって現像効率が変化しやすいエッジ部においてはトナーの摩擦帯電が不十分となりやすくエッジ部ゴーストが発生したと思われる。
【０２５９】
次に、実施例９、１１に関しては比較的エッジ部ゴーストが改善された。これはＬ／（Ｒ×ｔａｎθｈ）が０．３以上であるため、取込部における十分な摩擦帯電機会と、取込部における磁界勾配により良好なトナー循環が得られ、現像効率の変わりやすいエッジ部に於いても均一なトナー帯電が行われたためと思われる。ただし比較例３に関してはＬ／（Ｒ×ｔａｎθｈ）が０．３以上であっても改善が見られなかった。これは取込部における磁束密度が｜Ｂｒ｜／｜Ｂ｜が０．５以下であるため取込部におけるトナーの取込力が低下し、取込部におけるトナーの循環および摺擦が小さくなり、本発明における取込部の効果が小さくなったためと思われる
さらに、実施例１〜８および実施例１０に関してはＬ／（Ｒ×ｔａｎθｈ）が０．５以上となっており、エッジ部のゴーストはさらに改善された。これは取込部をさらに長くする事でトナーの接触機会を増やすと共に取込部内の磁界変化を大きくできるため、磁界勾配を用いた良好なトナー循環が達成される。したがって取込部における強いトナー循環により摩擦帯電が低め且つ均一にされたのち、規制部における規制ブレード・現像スリーブとの摺擦により高い帯電量とされるため均一かつ安定したトナー帯電量が得られ、現像履歴に依存が少ない安定したトナーコートが得られたものと考えられる。
また比較例８ではＬ／（Ｒ×ｔａｎθｈ）と｜Ｂｒ｜／｜Ｂ｜が共に０．５以上であるにも関わらず軽微なエッジ部ゴーストが発生した。これは取込部が長すぎると規制ブレード後方からのトナー供給を妨げ、新トナーとの入れ替わり性が低下するものと思われる。
【０２６０】
（２−２）ベタ黒均一性評価
次に、ベタ黒均一性の評価結果について図１３により説明する。
【０２６１】
実施例１〜１０および比較例２と１０では良好な黒均一性が得られているが、これら実施例、比較例においては取込部における磁束密度比が０．５以上となっている。これは、剥ぎ取り供給ローラがなく、現像効率の高い本発明における現像装置において良好なベタ黒均一性を得るためには、規制ブレードの規制部上流側に適当に帯電量を有するトナーを十分な量を均一に供給する必要があるためで、規制部において現像スリーブから剥ぎ取ったトナーを取込部により現像スリーブ近傍に循環させた後、ベタ黒印字中のほとんどトナーが存在しない現像スリーブ上にトナー供給できると考えられる。一度現像スリーブから剥ぎ取ったトナーは新しいトナーと比べて帯電量が若干高めであり、現像効率の高い本発明における現像装置においても比較的帯電量が揃った安定したトナーコートを可能とする。
【０２６２】
また、取込部が短い場合にはベタ黒の均一性が低下しやすく、実施例１１と比較例９に関しては磁束密度比は０．５以上であるものの、現像スリーブ２周目に若干の濃度低下が見られた。
【０２６３】
一方、比較例３についてはベタ黒の均一性が悪かったが磁束密度比＜０．５であった。これは取込部におけるトナーの供給が不十分であるため、規制ブレードに印加された電界により強力にスリーブ上トナーを剥ぎ取られてしまい、トナーが消費されない状態で現像スリーブ上に複数周回存在することで均一なコートができているベタ黒画像の先端部と、ベタ黒印字中のほとんどトナーが存在しない現像スリーブ上にトナー供給するベタ黒画像の中央〜後端部においては濃度が不均一になりやすいと思われる。
【０２６４】
また取込部長さ比は長すぎると新トナーの供給を阻害するため好ましくない。Ｌ／（Ｒ×ｔａｎθｈ）＞１．２である比較例８においては磁束密度比が０．５以上であるにも関わらずベタ黒の均一性が低下した。
【０２６５】
（２−３）カブリ評価
次に、カブリ評価の結果について図１４を用いて説明する。カブリについてはＬ／（Ｒ×ｔａｎθｈ）を小さくする方が小さくなる傾向があり、Ｌ／（Ｒ×ｔａｎθｈ）＜０．５である実施例９、１１および比較例２，３，９、１０においてはカブリの少ない画像が得られた。これはトナーの取込量（供給量）を抑える事でトナー一つ当たりの帯電量が向上されたものと思われる。
【０２６６】
Ｌ／（Ｒ×ｔａｎθｈ）＞０．５である実施例６，７，８，１０については若干のカブリが発生したが、実施例１，４，５についてはカブリの発生が抑えられている。これは取込部を長くしても規制部における磁束密度比を０．５以下に抑える事で（極間規制）トナーの磁気拘束力を弱め、機械的もしくは電界により規制部において反対極性トナーや低帯電量トナーをより効果的に剥ぎ取る事が出来るようになったためと思われる。また磁界の変化量が大きくなるため取込部へのトナー循環が強くなり、トナーの滞留による一部トナーの劣化、磁気凝集も防ぎ、耐久時に於いても安定してカブリを抑える事が出来た。
ただしＬ／（Ｒ×ｔａｎθｈ）＞１．２である比較例８ではカブリが悪化した。
【０２６７】
（２−４）総合評価
以上、実施例１〜１１，比較例２、３および８〜１０についての評価結果をまとめると、図１５に示したように規制ブレードの取込部長さＬと規制ブレードの自由端に最も近接した磁極の半値幅θｈ、現像スリーブ径Ｒの関係が０．３≦Ｌ／（Ｒ×ｔａｎθｈ）≦１．２、且つ規制ブレードの取込部における現像スリーブ上の磁束密度比｜Ｂｒ｜／｜Ｂ｜≧０．５０であるときに、良好なエッジゴーストとベタ黒の均一性、カブリを満たす画像が得られた（図１５中の枠線内の領域）。さらに本条件を用いた現像装置において前述の（ａ）〜（ｌ）の評価を行ったところ画像欠陥がなく良好な画像が得られた。
【０２６８】
また、より好ましくは規制ブレード取込部幅と磁極幅の関係が０．５≦Ｌ／（Ｒ×ｔａｎθｈ）≦１であり、且つ取込部における現像スリーブ上の磁束密度比が｜Ｂｒ｜／｜Ｂ｜≧０．７とすることで（図１５中の点線内の領域）、さらに良好なエッジ部ゴースト、ベタ黒均一性、カブリを満たす画像を得ることができた。
【０２６９】
（３）つぎに、規制ブレードと現像スリーブ間に交番電界を印加した場合の実施例について述べる。
【０２７０】
［実施例１２］
実施例１の規制ブレードＡＣバイアス印加
本実施例は、実施例１の現像装置におけるブレードバイアス印加電源Ｓ５の仕様を変更し、ＤＣ電圧−４５０ＶにＡＣ電圧（１ｋＨｚ、サイン波、ピーク間電圧３００Ｖ）を重畳して印加したものである。
【０２７１】
実施例１２は実施例１に対し規制ブレードにおけるＡＣバイアスを重畳した例であるが、ＡＣを印加することにより、実施例１に比してさらにベタ黒均一性とエッジ部ゴーストが改善した。これは、規制ブレード取込部におけるトナー循環が促進され、トナーの入れ替わり性が向上したためと考えられる。
【０２７２】
［実施例１３］
実施例１の現像スリーブＡＣバイアス印加
本実施例は、実施例１の現像装置における現像バイアス印加電源Ｓ２の仕様を変更し、ＤＣ電圧−４５０ＶにＡＣ電圧（１ｋＨｚ、サイン波、ピーク間電圧３００Ｖ）を重畳して印加した。
【０２７３】
実施例１３は実施例１に対し現像スリーブにおけるＡＣバイアスを重畳した例であるが、ＡＣを印加することにより、実施例１２と同様にトナーの入れ替わり性を向上することでベタ黒均一性とエッジ部ゴーストが改善した。さらに実施例１３では現像時にＡＣ電界を印加することにより、異物などの付着による欠陥を持つ現像スリーブであっても、欠陥部位が画像に現れにくく、中間調の再現に広いマージンが取れる。
【０２７４】
このとき重畳する交番バイアスとしてはサイン波でも矩形波でも波形は問わず本実施例における効果を得られるが、交番バイアスが大きすぎると耐久時に比較例４，５の非接触現像のようにヘアラインの均一性が低下する。また現像バイアスの絶対値の最大値｜Ｖ｜ｍａｘが感光ドラムの非画像部電位Ｖｄ（暗電位）よりも大きくなると、カブリが急激に悪化した。したがって交番バイアスを重畳した現像バイアスとしては現像バイアスの絶対値の最大値｜Ｖ｜ｍａｘと感光ドラムの非画像部電位Ｖｄ（暗電位）の関係が｜Ｖ｜ｍａｘ≦｜Ｖｄ｜を満たすことが好ましく、特に、現像後ドラム上のカブリの測定では、更に明確な差が見られた。
【０２７５】
更に実施形態２による回収性評価結果においても、ＡＣを印加した方が回収率を高くできるという結果が得られた。
【０２７６】
（４）以上、本発明による現像装置は、従来の現像装置にある課題（カブリ、ベタ黒均一性、ゴースト、ヘアライン均一性、画像エッジ不良）に対しバランスよく性能向上を図ることが出来る。特に現像効率の高い現像装置における課題であるゴースト、ベタ黒均一性とカブリにおいては、規制ブレードの規制部、取込部の位置、長さと磁極の関係を適切に保つことにより、改善される。
【０２７７】
更に、本発明の現像装置はトナーリサイクルシステムの画像記録装置においても有効であり、クリーナーレス回収性、中間調画像欠陥、紙粉による中間調画像欠陥、ベタ黒画像欠陥などに有効である。特に、クリーナーレスシステムにおいては、磁気凝集による多量のカブリが発生すると帯電ローラのよごれが発生し、全く帯電できなくなり、全面黒の画像さらには定着器に被転写材が巻きつき装置故障を生じるが、本発明においては、著しく抑制することができる。
【０２７８】
また、経時的変化、環境変動、トナーコート量の変動等が生じても、上述の効果を安定的に維持することができる。
【０２７９】
《他の実施形態》
１）実施形態では画像記録装置としてレーザプリンタを例示したが、これに限られず、電子写真複写機、ファクシミリ装置、ワードプロセッサ等他の画像記録装置（画像形成装置）でもよいことは勿論である。
【０２８０】
２）被帯電体としての像担持体は静電記録装置の場合には静電記録誘電体である。
【０２８１】
３）本発明の現像装置は画像記録装置の像担持体（電子写真感光体、静電記録誘電体等）の現像装置に限られず、広く被現像体に現像処理手段（回収も含む）として使用して有効であることは勿論である。
【０２８２】
以上述べたように、本発明による現像装置は、従来の現像装置にある課題（カブリ、ベタ黒均一性、ゴースト、ヘアライン均一性、画像エッジ不良）に対しバランスよく性能向上を図ることが出来る。特に、エッジ部を含めた現像履歴（ゴースト）、ベタ黒均一性とカブリにおいては、規制ブレードにおける規制部、取込部の位置、長さと磁極の関係を適切に保つことにより、改善される。
【０２８３】
更に、本発明の現像装置はトナーリサイクルシステムの画像記録装置においても有効であり、クリーナーレス回収性、中間調画像欠陥、紙粉による中間調画像欠陥、ベタ黒画像欠陥などに有効である。特に、クリーナーレスシステムにおいては、ベタ白画像不良が発生すると転写ローラのよごれを発生し、帯電ローラの汚れのため全く帯電できなくなり、全面黒の画像となり、定着器に被転写材が巻きつき装置故障を生じるが、本発明においては、著しく抑制することができる。
【０２８４】
また、経時的変化、環境変動、トナーコート量の変動等が生じても、上述の効果を安定的に維持することができる。
【図面の簡単な説明】
【０２８５】
【図１】本発明の実施例１を用いた実施形態１の概略図
【図２】本発明の実施例１を用いた実施形態２の概略図
【図３】実施例１で用いたマグネットロールの磁束密度と｜Ｂｒ｜／｜Ｂ｜
【図４】本発明の実施例１における規制ブレード近傍の概略図
【図５】エッジ部ゴーストの概略説明図
【図６】比較例４を用いた実施形態１の概略図
【図７】比較例６を用いた実施形態１の概略図
【図８】比較例７を用いた実施形態１の概略図
【図９】エッジ不良発生メカニズム図
【図１０】現像同時クリーニングのメカニズム図
【図１１】ベタ黒画像欠陥発生メカニズム
【図１２】エッジ部ゴースト評価結果グラフ
【図１３】ベタ黒均一性評価結果グラフ
【図１４】カブリ評価結果グラフ
【図１５】総合評価結果グラフ
【符号の説明】
【０２８６】
１．感光ドラム、２．帯電ローラ、２ａ．芯金、２ｂ．導電弾性ローラ、４．レーザ露光装置、６０．現像装置、６．転写帯電器、７．定着装置、８．ドラムクリーナ−、９．プロセスカートリッジ（電子写真カートリッジ）
【図１０】
2006301109.tif 000007
【図１】
2006301109.tif 000008
【図２】
2006301109.tif 000009
【図３】
2006301109.tif 000010
【図４】
2006301109.tif 000011
【図５】
2006301109.tif 000012
【図６】
2006301109.tif 000013
【図７】
2006301109.tif 000014
【図８】
2006301109.tif 000015
【図９】
2006301109.tif 000016
【図１１】
2006301109.tif 000017
【図１２】
2006301109.tif 000018
【図１３】
2006301109.tif 000019
【図１４】
2006301109.tif 000020
【図１５】
2006301109.tif 000021